(57)【要約】本発明は、方法及び表側と表側の反対側に位置する裏側とを有するセキュリティエレメントに関する。セキュリティエレメントは２つ以上のセキュリティ機能部を有する。２つ以上のセキュリティ機能部のうち第１のセキュリティ機能部は、１つ又は複数の第１の層を有する。２つ以上のセキュリティ機能部のうち第２のセキュリティ機能部は、１つ又は複数の第２の層を有する。特に、第１のセキュリティ機能部及び第２のセキュリティ機能部は、互いに見当合わせされて配置されている。第１のセキュリティ機能部は少なくとも１つの第１の光学的可変効果をもたらし、第２のセキュリティ機能部は少なくとも１つの第２の光学的可変効果をもたらす。少なくとも１つの第１の光学的可変効果は第１の色を有し、少なくとも１つの第２の光学的可変効果は第２の色を有する。第１の色及び第２の色は互いに異なる。また、本発明はセキュリティエレメントを形成するための方法に関する。
2021514485.tif 000002
【特許請求の範囲】
【請求項１】
表側（３ｂ）と、当該表側（３ｂ）の反対側に位置する裏側（３ａ）と、を有するセキュリティエレメント（１）であって、
前記セキュリティエレメント（１）は、２つ以上のセキュリティ機能部（２）を有し、
前記２つ以上のセキュリティ機能部（２ａ）のうち第１のセキュリティ機能部（２ａ）は、１つ又は複数の第１の層（２１）を有し、
前記２つ以上のセキュリティ機能部（２）のうち第２のセキュリティ機能部（２ｂ）は、１つ又は複数の第２の層（２２）を有し、
前記第１のセキュリティ機能部（２ａ）及び前記第２のセキュリティ機能部（２ｂ）は、特に互いに見当合わせされて配置されており、
前記第１のセキュリティ機能部（２ａ）は少なくとも１つの第１の光学的可変効果をもたらし、前記第２のセキュリティ機能部（２ｂ）は少なくとも１つの第２の光学的可変効果をもたらし、
前記少なくとも１つの第１の光学的可変効果は第１の色を有し、前記少なくとも１つの第２の光学的可変効果は第２の色を有し、
前記第１の色及び前記第２の色は互いに異なる、ことを特徴とするセキュリティエレメント（１）。
【請求項２】
前記１つ又は複数の第１の層（２１）の１つ又は複数の第１の層及び／又は前記１つ又は複数の第２の層（２２）の１つ又は複数の第２の層は、互いに隣り合って、特に１つの平面上に配置されているか、又は、一方が他方の下方に、特にいくつかの平面において配置されている、ことを特徴とする請求項１に記載のセキュリティエレメント（１）。
【請求項３】
前記セキュリティエレメント（１）を前記表側（３ｂ）又は前記裏側（３ａ）から見たときに、前記１つ又は複数の第１の層（２１）は、前記１つ又は複数の第２の層（２２）の上方に配置され、
前記セキュリティエレメント（１）を前記表側（３ｂ）又は前記裏側（３ａ）から見たときに、前記１つ又は複数の第２の層（２２）は、前記１つ又は複数の第１の層（２１）に特に完全に重なっているか、少なくとも部分的に重なっているかあるいは重なっていない、ことを特徴とする請求項１又は２に記載のセキュリティエレメント（１）。
【請求項４】
反射光及び／又は透過光の下で前記表側（３ｂ）及び／又は前記裏側（３ａ）から見たときに、前記第１のセキュリティ機能部（２ａ）は、前記セキュリティエレメント（１）の１つ又は複数の第１の領域（３１）において視認でき、前記第２のセキュリティ機能部（２ｂ）は、前記セキュリティエレメント（１）の１つ又は複数の第２の領域（３２）において視認できる、ことを特徴とする請求項１〜３のいずれかに記載のセキュリティエレメント（１）。
【請求項５】
前記１つ又は複数の第１の領域（３１）及び／又は前記１つ又は複数の第２の領域（３２）は、特に、前記表側（３ｂ）及び／又前記裏側（３ａ）から前記セキュリティエレメント（１）を検出する観察者に対して、少なくとも所定のセクションにおいて互いに隣接している、ことを特徴とする請求項４又は５に記載のセキュリティエレメント（１）。
【請求項６】
前記１つ又は複数の第１の領域（３１）及び／又は前記１つ又は複数の第２の領域（３２）は、それぞれデザインエレメント（４）の形態で形状付けられており、特に、英数字、コード、特にバーコード、文字、記号、マイクロプリント、イメージ、肖像画、ロゴ、エンブレム及び／又はモチーフとして形状付けられている、ことを特徴とする請求項５に記載のセキュリティエレメント（１）。
【請求項７】
前記第１のセキュリティ機能部（２ａ）は、前記１つ又は複数の第１の領域（３１）において不透明に形成されており、前記１つ又は複数の第２の領域（３２）において透明又は半透明に形成されている、ことを特徴とする請求項４〜６のいずれかに記載のセキュリティエレメント（１）。
【請求項８】
前記第１のセキュリティ機能部（２ａ）は、前記１つ又は複数の第２の領域（３２）において不透明に形成され、前記１つ又は複数の第１の領域（３１）において、不透明、透明又は半透明に形成されている、ことを特徴とする請求項４〜７のいずれかに記載のセキュリティエレメント（１）。
【請求項９】
前記１つ又は複数の第１の層（２１）は、不透明層（２１０）として、特に不透明な金属層として形成され、
前記不透明層（２１０）は、前記１つ又は複数の第１の領域（３１）に設けられ、前記１つ又は複数の第２の領域（３２）には設けられない、ことを特徴とする請求項４〜８のいずれかに記載のセキュリティエレメント（１）。
【請求項１０】
前記１つ又は複数の第１の層（２１）の１つ又は複数の第１の層は、第１の光学的可変構造（２１１）を形成し、かつ／又は当該第１の光学的可変構造（２１１）を有し、及び／あるいは、
前記１つ又は複数の第２の層（２２）の１つ又は複数の第２の層は、第２の光学的可変構造（２２１）を形成し、かつ／又は当該第２の光学的可変構造（２２１）を有する、ことを特徴とする請求項１〜９のいずれかに記載のセキュリティエレメント（１）。
【請求項１１】
前記第１の光学的可変構造（２１１）は、１つ又は複数の第１の領域（３１）に設けられ、前記１つ又は複数の第２の領域（３２）に設けられない、ことを特徴とする請求項１０に記載のセキュリティエレメント（１）。
【請求項１２】
前記第１の光学的可変構造（２１１）は、複製層（２３）に成形された光学的に可変のレリーフ構造（２１１ａ）として形成され、
前記光学的に可変のレリーフ構造（２１１ａ）は、１つ又は複数の第２の領域（３２）において前記複製層（２３）に成形されず、かつ／又は、前記複製層（２３）の屈折率と０．３以下、特に０．１以下だけ異なる屈折率を有するワニス層（２１１ｂ）を適用することにより光学的に除去される、ことを特徴とする請求項１０又は１１に記載のセキュリティエレメント（１）。
【請求項１３】
前記ワニス層（２１１ｂ）は、前記１つ又は複数の第２の層（２２）の第２の層からなり、
前記ワニス層（２１１ｂ）は、特に前記複製層（２３）に成形された前記第１の光学的に可変のレリーフ構造（２１１）を好ましくは部分的に光学的に除去する、ことを特徴とする請求項１２に記載のセキュリティエレメント（１）。
【請求項１４】
前記第２の光学的可変構造（２２１）は、１つ又は複数の第１の領域（３１）及び１つ又は複数の第２の領域（３２）に設けられる、ことを特徴とする請求項１０〜１３のいずれかに記載のセキュリティエレメント（１）。
【請求項１５】
前記第１の光学的可変構造（２１１）を形成する前記１つ又は複数の第１の層（２１）及び／又は前記第２の光学的可変構造（２２１）を形成する前記１つ又は複数の第２の層（２２）は、少なくとも１つの反射層（２１２）を含み、
前記反射層（２１２）は、好ましくは、１つ又は複数の第２の領域（３１）及び／又は前記１つ又は複数の第２の層（２２）に設けられ、１つ又は複数の第１の領域（３１）及び／又は前記１つ又は複数の第１の層（２１）に設けられない、ことを特徴とする請求項１０〜１４のいずれかに記載のセキュリティエレメント（１）。
【請求項１６】
前記反射層（２１２）は、不透明、半透明又は透明の反射層（２１２ａ）として形成され、特に、金属層、部分的な形状を有する金属層、メタリックのラスタエレメントの層、特にラスタドット、好ましくはラスタライン、ＨＲＩ層、ＬＲＩ層並びに／あるいは２つ以上のＨＲＩ層及び／又はＬＲＩ層の組み合わせから選択される、ことを特徴とする請求項１５に記載のセキュリティエレメント（１）。
【請求項１７】
前記第１の光学的可変構造（２１１）及び／又は前記第２の光学的可変構造（２２１）は無彩色の光学的に可変の効果を生じさせる、ことを特徴とする請求項１０〜１６のいずれかに記載のセキュリティエレメント（１）。
【請求項１８】
前記第１の光学的可変構造（２１１）及び／又は前記第２の光学的可変構造（２２１）は、ボリュームホログラム及び／又は光学的にアクティブなレリーフ構造を含み、特に、鏡、回折格子、ホログラム、キノフォーム、非対称回折構造、マット構造、特に異方性マット構造、ブレーズド格子、ゼロ次回折構造、フレネル型自由曲面、屈折構造、特にマイクロミラー配列、光屈折又は集光構造、特にマイクロレンズ配列から選択される、ことを特徴とする請求項１０〜１７のいずれかに記載のセキュリティエレメント（１）。
【請求項１９】
前記第１の光学的可変構造（２１１）は、前記第２の光学的可変構造（２２１）と異なっており、
特に、前記第１の光学的可変構造（２１１）は、１つ又は複数の構造パラメータ、特に配列、格子周期、格子深さ、構造パラメータのランダム性において、前記第２の光学的可変構造（２２１）と異なっており、かつ／又は、光学的に可変の構造の異なるクラスに割り当てられる、ことを特徴とする請求項１０〜１８のいずれかに記載のセキュリティエレメント（１）。
【請求項２０】
前記１つ又は複数の第１の層（２１）の少なくとも１つの第１の層は、第１のカラー層（２１３）として形成され、かつ／又は、
前記１つ又は複数の第２の層（２２）の少なくとも１つの第２の層は、第２のカラー層（２２３）として形成される、ことを特徴とする請求項１〜１９のいずれかに記載のセキュリティエレメント（１）。
【請求項２１】
ワニス層（２１１ｂ）は、第２のカラー層（２２３）又は第２の光学的可変構造（２２１）の複製層（２３）からなり、
特に、前記ワニス層（２１１ｂ）は、前記複製層（２３）に成形された第１の光学的に可変のレリーフ構造（２１１）を好ましくは部分的に光学的に除去する、ことを特徴とする請求項１０，１２又は２０のいずれかに記載のセキュリティエレメント（１）。
【請求項２２】
前記第１のカラー層（２１３）は、１つ又は複数の第１の領域（３１）に設けられ、１つ又は複数の第２の領域（３２）に設けられない、ことを特徴とする請求項２０又は２１に記載のセキュリティエレメント（１）。
【請求項２３】
前記第２のカラー層（２２３）は、１つ又は複数の第１の領域（３１）及び１つ又は複数の第２の領域（３２）の両方に設けられている、ことを特徴とする請求項２０〜２２のいずれかに記載のセキュリティエレメント（１）。
【請求項２４】
前記第２のカラー層（２２３）は１つ又は複数の第２の領域（３２）に設けられ、１つ又は複数の第１の領域（３１）に設けられない、ことを特徴とする請求項２０〜２２のいずれかに記載のセキュリティエレメント（１）。
【請求項２５】
前記第１のカラー層（２１３）及び前記第２のカラー層（２２３）は異なる色を有する、ことを特徴とする請求項２０〜２４のいずれかに記載のセキュリティエレメント（１）。
【請求項２６】
前記第１のカラー層（２１３）及び／又は前記第２のカラー層（２２３）は、透明又は半透明層として形成され、
特に、前記第１のカラー層（２１３）及び／又は前記第２のカラー層（２２３）は、それぞれ透明のカラー層からなるか、あるいは透明のカラー層を形成する、ことを特徴とする請求項２０〜２５のいずれかに記載のセキュリティエレメント（１）。
【請求項２７】
前記第１のカラー層（２１３）及び／又は前記第２のカラー層（２２３）は、染料及び／又は顔料、特に光学的に可変の顔料、液晶顔料、干渉層顔料を含む層、干渉層系、特に異なる屈折率を有する２つ以上の層からなる層、あるいは、吸収層、スペーサ層、反射層、液晶材料、特にコレステリック液晶材料からなる層、ボリュームホログラム層、金属層から選択される、ことを特徴とする請求項２０〜２６のいずれかに記載のセキュリティエレメント（１）。
【請求項２８】
前記第１のカラー層（２１３）及び／又は前記第２のカラー層（２２３）は、少なくとも所定の一方向に向けた色の進行及び／又は色の勾配を有する、ことを特徴とする請求項２０〜２７のいずれかに記載のセキュリティエレメント（１）。
【請求項２９】
第１のカラー層（２１３）及び／又は第２のカラー層（２２３）及び／又は前記反射層（２１２）は互いに見当合わせされて配置される、ことを特徴とする請求項１５又は１６及び請求項２０〜２８のいずれかに記載のセキュリティエレメント（１）。
【請求項３０】
前記１つ又は複数の第１の層（２１）の少なくとも１つの第１の層は、透明又は半透明の複製層（２１４）からなり、好ましくは表面全体に形成され、
光学的にアクティブなレリーフ構造（２１４ａ）は、少なくとも前記複製層（２１４）の面に成形され、１つ又は複数の第１の領域（３１）において不透明な金属反射層（２１４ｂ）として形成された前記１つ又は複数の第１の層（２１）の１つの第１の層によって覆われ、
特に前記第１の領域（３１）を含まない、１つ又は複数の第２の領域（３２）における前記複製層（２１４）の面は、前記不透明な金属反射層（２１４ｂ）によって覆われていない、ことを特徴とする請求項１〜２９のいずれかに記載のセキュリティエレメント（１）。
【請求項３１】
１つ又は複数の第２の層（３１ｂ）の少なくとも１つの第２の層は、透明又は半透明の複製層（２２４）からなり、好ましくは表面全体に形成され、
光学的にアクティブなレリーフ構造（２２４ａ）は、少なくとも前記複製層（２２４）の面に成形され、１つ又は複数の第２の領域（３２）において反射層（２２４ｂ）として形成された前記１つ又は複数の第２の層（２２）の１つの第２の層によって覆われている、ことを特徴とする請求項１〜３０のいずれかに記載のセキュリティエレメント（１）。
【請求項３２】
前記１つ又は複数の第１の層（２１）の少なくとも１つの第１の層は、好ましくは１つ又は複数の第１の領域（３１）において、１つ又は複数の第１の開口部（２１５）を有し、かつ／あるいは、
前記１つ又は複数の第２の層（２２）の少なくとも１つの第２の層は、好ましくは１つ又は複数の第２の領域（３２）において、１つ又は複数の第２の開口部（２２５）を有し、
前記第１の開口部（２１５）及び／又は前記第２の開口部（２２５）は、特に、５０％を超える、好ましくは９０％を超える透過率を有し、
前記第１の開口部（２１５）の外側における前記１つ又は複数の第１の層（２１）の少なくとも１つの第１の層は、好ましくは、１０％未満、好ましくは５％未満の透過率を有する、ことを特徴とする請求項１〜３１のいずれかに記載のセキュリティエレメント（１）。
【請求項３３】
前記１つ又は複数の第１の開口部（２１５）及び／又は前記１つ又は複数の第２の開口部（２２５）は、第１のラスタライゼーション（２１５ａ）として及び／又は第２のラスタライゼーション（２２５ａ）として設けられ、
前記第１のラスタライゼーション（２１５ａ）及び／又は前記第２のラスタライゼーション（２２５ａ）の互いからの間隔、特に、前記第１のラスタライゼーション（２１５ａ）及び／又は前記第２のラスタライゼーション（２２５ａ）の互いからの平均間隔は、好ましくは３００μｍ以下、特に１５０μｍ以下である、ことを特徴とする請求項３２に記載のセキュリティエレメント（１）。
【請求項３４】
前記第１のラスタライゼーション（２１５ａ）を有する１つ又は複数の第１の領域（３１）の少なくとも１つの第１の領域及び１つ又は複数の第２の領域（３２）の少なくとも１つの第２の領域は、前記少なくとも１つの第１の光学的可変効果及び前記少なくとも１つの第２の光学的可変効果が特に反射光及び／又は透過光の下で観察者により前記表側（３ｂ）から検出可能であるように重なり合い、
特に前記第１の光学的可変効果は、前記第１の色で観察者に検出可能であり、特に前記第２の光学的可変効果は、前記第２の色で観察者に検出可能である、ことを特徴とする請求項３３に記載のセキュリティエレメント（１）。
【請求項３５】
１つ又は複数の第１の領域（３１）の少なくとも１つの第１の領域及び前記第２のラスタライゼーション（２２５ａ）を有する１つ又は複数の第２の領域（３２）の少なくとも１つの第２の領域は、前記少なくとも１つの第１の光学的可変効果及び前記少なくとも１つの第２の光学的可変効果が特に反射光及び／又は透過光の下で観察者により前記表側（３ｂ）から検出可能であるように重なり合う、ことを特徴とする請求項３３に記載のセキュリティエレメント（１）。
【請求項３６】
前記セキュリティエレメント（１）が傾斜かつ／又は屈曲かつ／又は回転したときに、前記少なくとも１つの第１の光学的可変効果及び／又は前記少なくとも１つの第２の光学的可変効果は、一連の色、特に一連の色値及び／又は一連の色明度及び／又は一連の色彩度、並びに／あるいは色の変化、特に、ムーブメント効果、モーフィング効果及び／又はフリップ効果、特にカラーフリップ効果を生じさせる色値の変化及び／又は色明度の変化及び／又は色彩度の変化、並びに／あるいは仮想的に飛び出したり戻ったりする立体形状をもたらす、ことを特徴とする請求項１〜３５のいずれかに記載のセキュリティエレメント（１）。
【請求項３７】
１つ又は複数の第１の領域（３１）及び１つ又は複数の第２の領域（３２）を有する、特に請求項１に記載のセキュリティエレメント（１）を製造する方法であって、
前記方法は、
ａ）１つ又は複数の第１の層（２１）を含む第１のセキュリティ機能部（２ａ）をキャリアプライ（１０）に適用するステップと、
ｂ）前記第１のセキュリティ機能部（２ａ）が特に第２のセキュリティ機能部（２ｂ）と見当合わせされて配置されるように、１つ又は複数の第２の層（２２）を含む第２のセキュリティ機能部（２ｂ）を前記キャリアプライ（１０）及び／又は前記第１のセキュリティ機能部（２ａ）に適用するステップと、
を含み、
前記第１のセキュリティ機能部（２ａ）は少なくとも１つの第１の光学的可変効果を生じさせ、
前記第２のセキュリティ機能部（２ｂ）は少なくとも１つの第２の光学的可変効果を生じさせ、
前記少なくとも１つの第１の光学的可変効果は第１の色を有し、
前記少なくとも１つの第２の光学的可変効果は第２の色を有し、
前記第１の色及び前記第２の色は互いに異なる、ことを特徴とする方法。
【請求項３８】
ステップａ）において、少なくとも１つの第１のカラー層（２１３）並びに／あるいは１つ又は複数の第１の光学的可変構造（２１１）を形成しかつ／又は１つ又は複数の第１の光学的可変構造（２１１）を有する１つ又は複数の層は、１つの第１の層又は複数の第１の層（２１）として前記キャリアプライ（１０）に適用される、ことを特徴とする請求項３７に記載の方法。
【請求項３９】
前記１つ又は複数の第１の光学的可変構造（２１１）は前記１つ又は複数の第１の領域（３１）に形成され、前記１つ又は複数の第２の領域（３２）に形成されない、ことを特徴とする請求項３８に記載の方法。
【請求項４０】
ステップａ）において、前記少なくとも１つの第１のカラー層（２１３）は前記１つ又は複数の第１の領域（３１）に適用される一方、前記１つ又は複数の第２の領域（３２）に適用されないか又は前記１つ又は複数の第２の領域（３２）に適用された後に取り除かれる、ことを特徴とする請求項３８又は３９に記載の方法。
【請求項４１】
ステップａ）において、少なくとも１つの第１の複製層（２１６）が、特に全面に亘って又は所定の領域において、前記複数の第１の層（２１）の１つとして適用され、
ステップａ）において、前記少なくとも１つの第１の複製層（２１６）に第１の光学的可変構造（２１１）としてレリーフ構造が成形される、ことを特徴とする請求項３７〜４０のいずれかに記載の方法。
【請求項４２】
ステップａ）において、少なくとも１つの第１の不透明層（２１０ａ）、特に第１の不透明金属層（２１０ｂ）が第１の層（２１）として前記第１の複製層（２１６）に適用され、
前記第１の不透明層（２１０ａ）は、好ましくは前記１つ又は複数の第１の領域（３１）に適用される一方、前記１つ又は複数の第２の領域（３２）に適用されないか、あるいは前記１つ又は複数の第２の領域（３２）に適用された後に取り除かれ、好ましくは、第１のカラー層に対して正確に見当合わせされた露光マスクとして前記第１のカラー層を用いて取り除かれる、ことを特徴とする請求項４１に記載の方法。
【請求項４３】
ステップｂ）において、少なくとも１つの第２のカラー層（２２３）並びに／あるいは１つ又は複数の第２の光学的可変構造（２２１）を形成しかつ／又は１つ又は複数の第２の光学的可変構造（２２１）を有する１つ又は複数の層が、１つの第２の層又は複数の第２の層（２２）として適用される、ことを特徴とする請求項３７〜４２のいずれかに記載の方法。
【請求項４４】
ステップｂ）において、前記少なくとも１つの第２のカラー層（２２３）は、前記１つ又は複数の第２の領域（３２）及び前記１つ又は複数の第１の領域（３１）に適用される、ことを特徴とする請求項４３に記載の方法。
【請求項４５】
ステップｂ）において、前記少なくとも１つの第２のカラー層（２２３）は、前記１つ又は複数の第２の領域（３２）に適用され、前記１つ又は複数の第１の領域（３１）に適用されない、ことを特徴とする請求項４３に記載の方法。
【請求項４６】
前記第２の光学的可変構造（２２１）は前記１つ又は複数の第１の領域（３１）及び前記１つ又は複数の第２の領域（３２）の双方に成形される、ことを特徴とする請求項４３〜４５のいずれかに記載の方法。
【請求項４７】
ステップｂ）において、少なくとも１つの第２の複製層（２２６）が、特に全面に亘って又は所定の領域において、前記複数の第２の層（２２）の１つとして適用され、
ステップｂ）において、前記少なくとも１つの第２の複製層（２２６）の上及び／又は前記少なくとも１つの第２の複製層（２２６）の内部に第２の光学的可変構造（２２１）としてレリーフ構造が成形される、ことを特徴とする請求項３７〜４６のいずれかに記載の方法。
【請求項４８】
ステップｂ）において、少なくとも１つの第２の不透明層（２２０ａ）、特に第２の不透明金属層（２２０ｂ）が第２の層（２２）として第２の複製層（２２６）に適用され、
前記第２の不透明層（２２０ａ）は、好ましくは前記１つ又は複数の第２の領域（３２）に適用される一方、好ましくは前記１つ又は複数の第１の領域（３１）に適用されないか、あるいは、前記１つ又は複数の第１の領域（３１）に適用された後に取り除かれる、ことを特徴とする請求項３７〜４７のいずれかに記載の方法。
【請求項４９】
ステップａ）及び／又はｂ）において、１つ又は複数の第１のカラー層（２１３）のうち１つ又は複数の第１のカラー層、及び／又は、１つ又は複数の第２のカラー層（２２３）のうち１つ又は複数の第２のカラー層は、印刷法又はコーティング法、特にデジタル印刷、好ましくはインクジェット印刷、電子写真印刷又はグラビア印刷、スクリーン印刷、オフセット印刷、スロットキャスティング、メタライゼーション及びスパッタリングにより適用される、ことを特徴とする請求項３７〜４８のいずれかに記載の方法。
【請求項５０】
第１の光学的可変構造（２１１）を形成する前記１つ又は複数の第１の層（２１）及び／又は第２の光学的可変構造（２２１）を形成する前記１つ又は複数の第２の層（２２）は、少なくとも１つの反射層（２１２）を含む、ことを特徴とする請求項３７〜４９のいずれかに記載のセキュリティエレメント。
【請求項５１】
前記少なくとも１つの反射層（２１２）は、不透明、半透明又は透明の反射層（２１２ａ）として形成され、特に金属層、部分的な形状を有する金属層、メタリックのラスタドット及び／又はラスタライン及び／又は異なる形状を有するラスタエレメントの層、ＨＲＩ層、ＬＲＩ層並びに／あるいは２つ以上のＨＲＩ層及び／又はＬＲＩ層の組み合わせから選択される、ことを特徴とする請求項５０に記載のセキュリティエレメント。
【請求項５２】
ステップａ）及び／又はｂ）において、１つ又は複数の第１のカラー層（２１３）のうち１つ又は複数の第１のカラー層及び／又は１つ又は複数の第２のカラー層（２２３）のうち１つ又は複数の第２のカラー層及び／又は少なくとも１つの反射層（２１２）は互いに見当合わせされて配置される、ことを特徴とする請求項３７〜５１のいずれかに記載の方法。
【請求項５３】
ポジ型フォトレジスト及び／又はネガ型フォトレジスト及び／又は画像反転フォトレジストは、前記少なくとも１つの第１の不透明層（２１０ａ）の形成及び／又は少なくとも１つの第２の不透明層（２２０ａ）の形成に用いられ、
前記ポジ型フォトレジスト及び／又は前記ネガ型フォトレジスト及び／又は前記画像反転フォトレジストは、特に、前記１つ又は複数の第１のカラー層（２１３）の１つ又は複数の第１のカラー層及び／又は１つ又は複数の第２のカラー層（２２３）の１つ又は複数の第２のカラー層からなり、
前記１つ又は複数の第１のカラー層（２１３）及び／又は前記１つ又は複数の第２のカラー層（２２３）は、第１のエッチングマスク及び／又は第２のエッチングマスクとして用いられる、ことを特徴とする請求項４２〜５２のいずれかに記載の方法。
【請求項５４】
少なくとも１つの第１の複製層（２１６）及び／又は少なくとも１つの第１の不透明層（２１０ａ）及び／又は１つ又は複数の第１のカラー層（２１３）及び／又は少なくとも１つの第２の複製層（２２６）及び／又は少なくとも１つの第２の不透明層（２２０ａ）及び／又は１つ又は複数の第２のカラー層（２２３）及び／又は少なくとも１つの反射層（２１２）は、前記層が前記キャリアプライ（１０）及び／又は前記少なくとも１つの第１の複製層（２１６）及び／又は前記少なくとも１つの第１の不透明層（２１０ａ）及び／又は前記１つ又は複数の第１のカラー層（２１３）及び／又は前記少なくとも１つの第２の複製層（２２６）及び／又は前記少なくとも１つの第２の不透明層（２２０ａ）及び／又は前記１つ又は複数の第２のカラー層（２２６）及び／又は前記少なくとも１つの反射層（２１２）に適用及び／又はスタンプ及び／又は印刷された後、好ましくは電磁波により硬化する放射線硬化性成分を有する、ことを特徴とする請求項３７〜５３のいずれかに記載の方法。
【請求項５５】
前記電磁波による前記少なくとも１つの第１の複製層（２１６）及び／又は前記少なくとも１つの第１の不透明層（２１０ａ）及び／又は前記１つ又は複数の第１のカラー層（２１３）及び／又は前記少なくとも１つの第２の複製層（２２６）及び／又は前記少なくとも１つの第２の不透明層（２２０ａ）及び／又は前記１つ又は複数の第２のカラー層（２２３）及び／又は前記少なくとも１つの反射層（２１２）の硬化及び／又は構造化の間に、前記１つ又は複数の第１のカラー層（２１３）が第１の露光マスクとして設けられ、かつ／あるいは、前記１つ又は複数の第２のカラー層（２２３）が第２の露光マスクとして設けられる、ことを特徴とする請求項５４に記載の方法。
【請求項５６】
ステップａ）及び／又はｂ）において、１つ又は複数の第１の開口部（２１５）及び／又は第２の開口部（２２５）は、少なくとも１つの第１の複製層（２１６）及び／又は少なくとも１つの第１の不透明層（２１０ａ）及び／又は１つ又は複数の第１のカラー層（２１３）及び／又は少なくとも１つの第２の複製層（２２６）及び／又は少なくとも１つの第２の不透明、半透明又は透明層（２１２ａ）及び／又は１つ又は複数の第２のカラー層（２２３）及び／又は少なくとも１つの反射層（２１２）に設けられ、
前記１つ又は複数の第１の開口部（２１５）は、特に５０％を超える、好ましくは９０％を超える、及び／又は特に１０％未満、好ましくは５％未満の透過率を有する、請求項３７〜５５のいずれかに記載の方法。
【発明の詳細な説明】
【技術分野】
【０００１】
本発明は、セキュリティエレメント及びセキュリティエレメントの製造方法に関する。
【０００２】
セキュリティ文書、特に有価証券及び／又は身分証明書の偽造防止を向上させる、セキュリティ文書を作成するためのセキュリティエレメントが知られている。さらに、人間の観察者に光学的に可変の効果、すなわち、照明角度及び／又は観察角度に応じた効果を示すセキュリティエレメントであって、光学的に可変でないセキュリティ機能部、例えば、ほぼ全ての観察角度及び／又は照明角度で同じ光学的外観を示す多色のセキュリティプリントと比べて、より高度な偽造防止効果を有するセキュリティエレメントが知られている。
【背景技術】
【０００３】
ＷＯ２００４／０４９２５０Ａ１は、そのような光学的に可変のセキュリティ機能部を有するセキュリティエレメントを開示している。このセキュリティエレメントは、光学的な回折効果により上記のような光学的に可変の効果を生じさせるため、反射層に覆われた特定のレリーフ構造を有する。さらに、このレリーフ構造は染色層に成形される。この染色により、レリーフ構造の光学的に可変の効果の色度がさらに変化し、これにより、偽造防止がさらに向上する。
【発明の概要】
【発明が解決しようとする課題】
【０００４】
本発明の目的は、改善されたセキュリティエレメント及び改善されたセキュリティエレメントの製造方法を提供することである。
【課題を解決するための手段】
【０００５】
この目的は、表側と、表側の反対側に位置する裏側と、を有し、２つ以上のセキュリティ機能部を有するセキュリティエレメントにより実現する。前記２つ以上のセキュリティ機能部の第１のセキュリティ機能部は、１つ又は複数の第１の層を含み、２つ以上のセキュリティ機能部の第２のセキュリティ機能部は、１つ又は複数の第２の層を含む。特に、第１のセキュリティ機能部及び第２のセキュリティ機能部は、互いに見当合わせされて配置されている。第１のセキュリティ機能部は少なくとも１つの第１の光学的に可変の効果（第１の光学的可変効果）を生じさせ、第２のセキュリティ機能部は少なくとも１つの第２の光学的に可変の効果（第２の光学的可変効果）を生じさせる。少なくとも１つの第１の光学的可変効果は第１の色を有し、少なくとも１つの第２の光学的可変効果は第２の色を有する。第１の色及び第２の色は互いに異なっている。
【０００６】
特に、第１及び／又は第２の色は、染色層の着色により決まる。また、第１及び／又は第２の色は、薄膜構造、特に、好ましくは金属からなる半透明吸収層、透明な誘電体スペーサ層及び好ましくは金属からなる第２の半透明吸収層又は特に金属からなる不透明なミラー層からなるいわゆるファブリ・ペロー三層構造における光干渉効果により形成されてもよい。特に、本発明において、セキュリティエレメントを傾けたときに、第１及び／又は第２の色は、人間の目で知覚できる変化、かろうじて知覚できる変化、目立つ変化又は知覚できない変化を示す。さらに好ましくは、傾斜したときの第１及び／又は第２の色の変化は、第１の光学的可変効果及び／又は第２の光学的可変効果である。
【０００７】
さらに、上記目的は、１つ又は複数の第１の領域及び１つ又は複数の第２の領域を有するセキュリティエレメントを製造する方法により実現する。この方法は以下のステップを含む。ａ）１つ又は複数の第１の層を含む第１のセキュリティ機能部をキャリアプライに適用するステップ。ｂ）第１のセキュリティ機能部が特に第２のセキュリティ機能部と見当合わせされて配置されるように、１つ又は複数の第２の層を含む第２のセキュリティ機能部をキャリアプライ及び／又は第１のセキュリティ機能部に適用するステップ。第１のセキュリティ機能部は少なくとも１つの第１の光学的可変効果を生じさせる。少なくとも１つの第１の光学的可変効果は第１の色を有する。第２のセキュリティ機能部は少なくとも１つの第２の光学的可変効果を生じさせる。少なくとも１つの第２の光学的可変効果は、第２の色を有する。第１の色及び第２の色は互いに異なる。
【０００８】
そのようなセキュリティエレメント及び／又はそのような方法は、偽造に対する特に高い保護をもたらすことを特徴とする。識別可能な光学的に可変のセキュリティ機能部は、セキュリティ機能部の異なる着色及び配置、特に見当合わせが正確な配置によって、特に全ての観察角度で認識可能であり、機能部の「性質」のため互いに分離することが困難な方法でのみ認識可能であって、不十分な照明条件下でも明確に区別でき、したがって、見当合わせの不正確さが観察者に明確に認識される。異なる光学的に可変の構造及び対応する着色に使用される染色層又は薄膜構造の正確に見当合わせされた配置により、セキュリティエレメントのプロセス技術による生産における高い要求が満たされる。これにより、偽造者とって偽造がより困難なものとなる。また、上記の相関関係は人間の観察者にとって明確に認識できる。
【０００９】
これにより、第１の色を有する第１の光学的可変効果及び第２の色を有する第２の光学的可変効果は互いに明確かつ鮮明に区別され、観察者により認識可能である。
【００１０】
好ましくは、１つ又は複数の第１の層のうち１つ又は複数の第１の層及び／又は１つ又は複数の第２の層のうち１つ又は複数の第２の層は、個別に又は集合的にセキュリティエレメントに複数の機能が割り当てられる。これらの第１の層及び／又は第２の層は、特に、剥離層、接着促進層、平坦化層、レベリング層、安定化層、バリア層、マスク層、カラー層、高屈折層、不透明層、金属層、特に部分的な形状を有する金属層、好ましくは反射層、複製層又は保護層から選択される。特に、これらの層の層厚は、数ナノメートルから数マイクロメートルの範囲にある。
【００１１】
１つ又は複数の第１の層及び／又は１つ又は複数の第２の層の各々の機能又は条件に応じて材料の組成が異なっていてもよい。好ましくは、これらの第１の層及び／又は第２の層は、１つ又は複数の結合剤、添加剤及び／又は充填剤を含み、かつ／又は１つ又は複数の結合剤、添加剤及び／又は充填剤から構成される。
【００１２】
好ましくは、結合剤は、例えば、ポリエステル、ポリアクリレート、ポリメタクリレート、ポリウレタン、ポリスチレン、ポリブチレート、ニトロセルロース又は類似のポリマーなどのポリマーベースのシステム及びこれらの混合物を意味する。
【００１３】
好ましくは、添加剤は、例えば、カラー層が上記方法により適用されるとき、又はセキュリティエレメントが使用されるときに処理特性が所定の効果を実現する有機又は無機物質を意味する。
【００１４】
好ましくは、充填剤は、システム、特にポリマーベースのシステム、例えば、シリカ、顔料、染料、ＵＶブロッカ（ＵＶ＝ＵＶ放射＝紫外線放射＝電磁波スペクトルの紫外線部分、１つ又は複数の部分的な領域又は電磁波スペクトルの紫外線部分からの電磁波）、トレーサ、特にタガント及び／又は同様の材料に付加される全ての材料を意味する。
【００１５】
１つ又は複数の第１の層のうち１つ又は複数の第１の層及び／又は１つ又は複数の第２の層のうち１つ又は複数の第２の層の適用は、好ましくは、印刷法、例えば、グラビア印刷、スクリーン印刷、オフセット印刷、デジタル印刷、特にインクジェット印刷又は電子写真（ゼログラフィック）印刷、スロットキャスティング、及び／又は同様の印刷法により、あるいは、さらなるコーティング法、例えば、メタライゼーション、スパッタリング、化学蒸着法、特に化学蒸着（ＣＶＤ）及び／又はプラズマ増強化学蒸着（ＰＥＣＶＤ）などにより行われる。
【００１６】
１つ又は複数の第１の層及び／又は１つ又は複数の第２の層の層厚は、好ましくは０．００１μｍ〜５０μｍ、特に０．００５μｍ〜２０μｍである。
【００１７】
キャリアプライは、好ましくは、単層又は多層のフィルムを意味する。特に、キャリアプライの１つ又は複数の層は、ＰＥＴ（ポリエチレンテレフタレート）、ＰＰ（ポリプロピレン）、ＰＥ（ポリエチレン）、ＰＥＮ（ポリエチレンナフタレート）、ＰＣ（ポリカーボネート）、ＰＶＣ（ポリ塩化ビニル）、カプトン（登録商標）（ポリ−オキシジフェニレン−ピロメリットイミド）又は他のポリイミド、ＰＬＡ（ポリ乳酸）、ＰＭＭＡ（ポリメチルメタクリレート）又はＡＢＳ（アクリロニトリルブタジエンスチレン）からなるか又はこれらの組み合わせからなる。層厚は、特に１μｍ〜５００μｍ、好ましくは６μｍ〜７５μｍ、さらに好ましくは１２μｍ〜５０μｍである。
【００１８】
見当又は見当合わせ、あるいは見当精度又は見当合わせ精度あるいは位置精度は、互いに対する２つ以上の層及び／又はエレメント及び／又は機能部の位置の精度を意味する。見当精度は、予め設定された許容範囲内で異なり、可能な限り高い。同時に、互いに対する複数のエレメント及び／又は層の見当精度は、プロセスの信頼性を向上させるための重要な特徴である。位置的に正確な位置決めは、特に、感覚的に、好ましくは光学的に検出可能な、見当マーク又は位置マークによって行うことができる。見当マーク又は位置マークは、特別な個別のエレメント又は領域又は層を表すものであってもよいし、あるいはこれらが配置されるエレメント又は領域又は層の一部であってもよい。
【００１９】
第１のセキュリティ機能部及び第２のセキュリティ機能部は、好ましくは、互いに調整されておらず、特にランダムに重なる２つの見当合わせされていない連続的でエンドレスのパターン又はデザインエレメントとして形成され又は形状づけられてもよいし、あるいは、好ましくは、互いに調整され、特に所定の方法で重なる２つの見当合わせされた連続的でエンドレスのパターン又はデザインエレメントとして形成され又は形状づけられてもよい。
【００２０】
さらに、また、第１のセキュリティ機能部は、少なくとも１つの見当合わせされた個々のイメージ（画像）又はデザインエレメントとして形成されるか又は形状付けられ、及び、第２のセキュリティ機能部は、少なくとも１つの見当合わせされていない連続的でエンドレスのパターン又はデザインエレメントとして形成されるか又は形状付けられてもよいし、その逆であってもよく、第２のセキュリティ機能部は、好ましくは、第１のセキュリティ機能部の相対位置と調整されておらず、特に第１のセキュリティ機能部とランダムに重なる。あるいは、第１のセキュリティ機能部は、少なくとも１つの見当合わせされていない個々のイメージ（画像）又はデザインエレメントとして形成されるか又は形状付けられ、及び、第２のセキュリティ機能部は、少なくとも１つの見当合わせされた連続的でエンドレスのパターン又はデザインエレメントとして形成されるか又は形状付けられ、好ましくは、第１のセキュリティ機能部は、第２のセキュリティ機能部の相対位置と連係しておらず、特にランダムに第２のセキュリティ機能部と重なる。
【００２１】
さらに、第１のセキュリティ機能部は、少なくとも１つの見当合わせされていない個々のイメージ（画像）又はデザインエレメントとして形成されるか又は形状付けられ、及び、第２のセキュリティ機能部は、少なくとも１つの見当合わせされていない連続的でエンドレスのパターン又はデザインエレメントとして形成されるか又は形状付けられてもよいし、その逆であってもよく、好ましくは、これらは互いに調整されていないが、特にランダムに重なる。あるいは、第１のセキュリティ機能部は、少なくとも１つの見当合わせされた個々のイメージ（画像）又はデザインエレメントとして形成されるか又は形状付けられ、及び、第２のセキュリティ機能部は、少なくとも１つの見当合わせされた連続的でエンドレスのパターン又はデザインエレメントとして形成されるか又は形状付けられてもよく、好ましくは、これらは互いに調整され、特に所定の方法で重なる。
【００２２】
エンドレスのパターン又はデザインエレメント及び／又は個々のイメージ（画像）又はデザインエレメントは、好ましくは、互いに対して見当合わせされ、かつ／あるいは、第１のセキュリティ機能部及び第２のセキュリティ機能部が好ましくは転写される基板に対して見当合わせされる。
【００２３】
さらに、また、２つのセキュリティ機能部が全体としてパターン又はデザインエレメントを構成するように、第１のセキュリティ機能部及び第２のセキュリティ機能部は、互いに配置されてもよい。
【００２４】
特に、第１のセキュリティ機能部及び／又は第２のセキュリティ機能部は、表側及び／又は裏側から見たときに、互いに少なくとも部分的に重ならず、かつ／あるいは少なくとも部分的に隣接する複数のデザインエレメントから構成される。
【００２５】
本発明の有利な実施例は従属請求項に記載されている。
【００２６】
１つ又は複数の第１の層のうち１つ又は複数の第１の層及び／又は１つ又は複数の第２の層のうち１つ又は複数の第２の層は、特に１つの平面において互いに隣接して配置されるか、又は、特にいくつかの平面において一方が他方の下方に配置される。そのような平面は、例えば、セキュリティエレメントが延在する平面によって画定される。
【００２７】
セキュリティエレメントを表側又は裏側から見たときに、１つ又は複数の第１の層は、好ましくは、１つ又は複数の第２の層の上方に配置される。さらに、セキュリティエレメントを表側又は裏側から見たときに、特に、１つ又は複数の第２の層は、１つ又は複数の第１の層に完全に又は部分的に重なるか、あるいは、１つ又は複数の第１の層に重ならない。
【００２８】
さらに、反射光かつ／又は透過光の下で表側及び／又は裏側から見たときに、第１のセキュリティ機能部は、セキュリティエレメントの１つ又は複数の第１の領域において視認でき、第２のセキュリティ機能部は、セキュリティエレメントの１つ又は複数の第２の領域において視認できる。
【００２９】
表側又は裏側からセキュリティエレメントを見る観察者に対して、１つ又は複数の第１の領域及び／又は１つ又は複数の第２の領域は、少なくとも所定のセクションにおいて、互いに隣同士に配置されてもよい。
【００３０】
したがって、また、１つ又は複数の第１の領域及び／又は１つ又は複数の第２の領域は、それぞれ、デザインエレメント、特に英数字、コード（符号）、例えばバーコード、文字、記号、マイクロプリント、イメージ（画像）、肖像画、ロゴ、エンブレム及び／又はモチーフとして形状付けられてもよい。そのようなモチーフの例は、旗や、国、島又は大陸の境界の輪郭、あるいは橋や建物などの構造物である。
【００３１】
さらに、１つ又は複数の第１の領域のうち１つ又は複数の第１の領域及び／又は１つ又は複数の第２の領域のうち１つ又は複数の第２の領域は、少なくとも１つのデザインエレメントを形成するように配置されてもよい。そのようなデザインエレメントは、好ましくは、英数字、コード（符号）、記号、マイクロプリント、ロゴ、エンブレム、モチーフ、イメージ（画像）、テキスト（文字列）、肖像画及び／又は文字から選択された１つ又は複数の構成要素から形成される。上記デザインエレメント及び／又は上記構成要素を所望のように任意に組み合わせてもよい。したがって、例えば、英数字の外側輪郭は、１つ又は複数の第１の領域の１つ又は複数の第１の領域から構成され、英数字の外側輪郭により囲まれた表面領域は１つ又は複数の第２の領域の１つ又は複数の第２の領域により設けられ得る。
【００３２】
さらに、また、１つ又は複数の第１の領域のうち１つ又は複数の第１の領域は、第１の色を有する第１のデザインエレメント、例えば数字のラインモチーフを形成し、１つ又は複数の第２の領域のうち１つ又は複数の第２の領域は、第２の色を有する第２のデザインエレメント、例えば単語「ｅｕｒｏ」の文字を形成してもよい。第１及び第２のデザインエレメントは、重なり合い、かつ／あるいは、互いに見当合わせされて配置され、かつ／あるいは、互いにラスタ化（ラスタライズ）されてもよい。これにより、対応するセキュリティエレメント及び／又はセキュリティ文書の偽造をより効果的に保護することができる。
【００３３】
第１及び／又は第２の色は、特に、１つ又は複数の第１の層のうち１つ又は複数の第１の層及び／又は１つ又は複数の第２の層のうち１つ又は複数の第２の層の染色層の着色により決定されてもよい。
【００３４】
第１のセキュリティ機能部は、好ましくは、１つ又は複数の第１の領域において不透明に形成され、１つ又は複数の第２の領域において、半透明又は透明に形成されてもよい。また、第１のセキュリティ機能部は、１つ又は複数の第２の領域において不透明に形成され、１つ又は複数の第１の領域において、不透明、半透明又は透明に形成されてもよい。
【００３５】
透明とは、特に、電磁スペクトルの１つ又は複数のスペクトル成分を通過させるための、物質及び／又は材料及び／又は層、特に第１のセキュリティ機能部及び／又は第２のセキュリティ機能部の能力の尺度である特性、特に光学特性を意味する。人間の目で容易に認識できる、特に可視光線のスペクトル成分は、好ましくは、４３０ｎｍ〜６９０ｎｍの波長範囲にある。
【００３６】
好ましくは、透過率又は光密度は、電磁波又は電磁放射が物質及び／又は材料及び／又は層を通過するときに、電磁波又は電磁放射がどれだけの強度で残存するかを特定する割合又は無次元量を意味する。
【００３７】
半透明とは、特に、電磁スペクトルの１つ又は複数のスペクトル成分を通過させるための、物質及び／又は材料及び／又は層、特に第１のセキュリティ機能部及び／又は第２のセキュリティ機能部の能力の尺度である特性、特に光学特性を意味する。透明性（＝イメージや見た目を透過させる能力）と区別するため、半透明性は、特に光を透過させる能力を意味する。透明材料と異なり、半透明材料は、好ましくは、目に対して著しく光を散乱させる割合を含む。
【００３８】
不透明とは、特に、物質及び／又は材料及び／又は層、特に第１のセキュリティ機能部及び／又は第２のセキュリティ機能部に、電磁スペクトルの１つ又は複数のスペクトル成分を通過させるための能力がないことの尺度である特性、特に光学特性を意味する。層及び／又はセキュリティ機能部などの物質の不透明性は、例えば、好ましくは吸収能力と呼ばれる尺度で表される。特に、物質は、その光密度が１よりも大きく、好ましくは１．５よりも大きい場合、不透明であるということができる。
【００３９】
吸収能力又は吸収係数は、特に、電磁波又は電磁放射が物質及び／又は材料及び／又は層を通過するときの電磁波又は電磁放射の強度の減少の尺度を意味する。吸収能力及び／又は吸収係数の寸法は、特に、１／長さの単位（ｕｎｉｔ）、好ましくは１／長さの基準（ｍｅａｓｕｒｅ）である。例えば、不透明層は、可視光線に関して空気よりも大きい吸収係数を有する。
【００４０】
さらに、１つ又は複数の第１の層は、不透明層として、特に不透明な金属層として形成されてもよく、不透明層は、１つ又は複数の第１の領域に設けられるが、１つ又は複数の第２の領域に設けられない。
【００４１】
特に金属層として形成される不透明層は、好ましくは、例えば可視光などの電磁波の散乱、特に反射及び／又は吸収する機能を果たす特定の機能層を意味する。そのような層は、例えば、金属、特にアルミニウム、銀、クロム、銅、金，スズ、亜鉛のスパッタリング又は蒸着により形成される。そのような不透明層は、好ましくは、金属ミラー層又は吸収層として機能する。そのような不透明層の層厚は、好ましくは１ｎｍ〜５００ｎｍ、さらに好ましくは５ｎｍ〜１００ｎｍである。特に、そのような不透明層は、通常、約１５ｎｍの層厚を有する金属ミラー層として機能する。層厚が１５ｎｍ未満の場合、そのような不透明層は、好ましくは吸収層として機能する。また、そのような不透明層は金属顔料含有ワニスを適用することにより形成されてもよい。層厚は、特に０．１μｍ〜５０μｍ、好ましくは１μｍ〜２０μｍである。
【００４２】
さらに、１つ又は複数の第１の層のうち１つ又は複数の第１の層は、第１の光学的に可変の構造（第１の光学的可変構造）を形成しかつ／又は第１の光学的可変構造を有し、及び／あるいは、１つ又は複数の第２の層のうち１つ又は複数の第２の層は、第２の光学的に可変の構造（第２の光学的可変構造）を形成しかつ／又は第２の光学的可変構造を有していてもよい。好ましくは、第１の光学的可変構造は、１つ又は複数の第１の領域に設けられるが、特に１つ又は複数の第２の領域に設けられない。
【００４３】
光学的に可変の構造は、好ましくは、光学的効果が好ましくはレリーフ構造により実現される構造である。特に、固有の着色の程度が低いそのような光学的に可変の構造は、例えば、カラー層に含まれる色との組み合わせに特に適している。これらは、特に、好ましくは固有の着色の程度が低い光学的に可変の構造である。したがって、これらの構造は、好ましくは、従来の格子構造のより周知の特有のレインボー効果を示さない。好ましくは、これらの光学的に可変の構造は実質的に無彩色の効果を有する。
【００４４】
特に、弱い回折色効果を有するか又は回折色効果を有さないそのような光学的に可変の構造は、鏡（鏡面）、等方性又は異方性散乱構造、特にマット構造、線の数が少なく格子深さが大きい格子構造、非対称で無彩色の格子構造、屈折構造、粗い正弦格子、ブレーズド型の格子又はブレーズド格子、特に格子周期が３μｍを超える、好ましくは６μｍを超える格子、好ましくはフレネル型自由曲面、特に、異なる格子間隔、好ましくは３μｍを超える、好ましくは６μｍを超える格子間隔を有する周期的、局所的に周期的又は非周期的なブレーズド型の格子、マイクロミラー配列及び／又は再帰反射板配置から選択される。また、所定の範囲の角度又は立体角、特に立体角の範囲で、入射電磁放射、特に光を散乱、特に反射する格子線の数及び／又は格子線の方向に確率的変動を有する光学的に可変の構造を選択してもよい。さらに、光学的に可変の構造として、コンピュータ生成ホログラム、特に１つ又は複数のキノフォームを選択してもよい。
【００４５】
好ましくは、意図した方法で入射光を吸収するこれらの光学的に可変の構造を選択してもよく、これは、光学的に可変の構造の領域に暗い領域及び着色領域を生成するため、あるいは、光学的に可変の構造の領域における明度を所定の範囲で変化させるために特に好適である。そのような構造は、特に、線形又は二次元の格子構造、例えば交差した及び／又は六角形の格子構造、線の数が多く、通常、５００ｎｍ未満、特に４００ｎｍ未満の周期を有する格子構造、微細構造の平均間隔が５００ｎｍ未満、特に４００ｎｍ未満であるランダム又は擬似ランダムに配置された微細構造、並びにプラズモン励起により光を吸収する微細構造及び／又はナノ構造を含む。
【００４６】
さらに好ましくは、そのような光学的に可変の構造による平面的なムーブメント効果の生成に加えて、ラインベースで無彩色のムーブメント効果も生じ得る。そのような光学的に可変の構造の「円運動」が知られている。特に、これらの光学的に可変の構造に少なくとも１つの透明なカラー層を重ねることにより単色のムーブメントが生じる。
【００４７】
さらに、第１の光学的可変構造は、複製層に成形される光学的に可変のレリーフ構造として形成され、光学的に可変のレリーフ構造は、１つ又は複数の第２の領域において複製層に成形されずかつ／又は複製層の屈折率と０．３以下、特に０．１以下だけ異なる屈折率を有するワニス層を適用することにより光学的に除去されてもよい。
【００４８】
本明細書において、複製層は、好ましくは、特に熱複写及び／又は紫外線複写により光学的に可変の構造が導入されかつ／又は固定される特定の機能層を意味する。特に、複製層は、例えば、熱的に複写され、次いで、放射線、例えば、紫外線放射及び／又は少なくとも１つの電子ビームによって硬化されるハイブリッド層である。例えば、ワニスは、紫外線複写の間に温められてもよい。特に、この複製層は、０．１μｍ〜１０μｍ、好ましくは０．３μｍ〜８μｍの層厚を有する。
【００４９】
複製層に成形された第１の光学的に可変のレリーフ構造を特に好ましくは部分的に光学的に除去するワニス層は、好ましくは、１つ又は複数の第２の層のうち１つの第２の層からなる。さらに、第２の光学的可変構造は１つ又は複数の第１の領域及び１つ又は複数の第２の領域の双方に設けられてもよい。
【００５０】
さらに、第１の光学的可変構造を形成する１つ又は複数の第１の層及び／又は第２の光学的可変構造を形成する１つ又は複数の第２の層は少なくとも１つの反射層を含んでいてもよい。反射層は、好ましくは、１つ又は複数の第２の領域及び／又は１つ又は複数の第２の層に設けられるが、１つ又は複数の第１の領域及び／又は１つ又は複数の第１の層に設けられない。好ましくは、反射層は、不透明、半透明又は透明の反射層として形成され、特に、金属層、部分的な形状を有する金属層、メタリックのラスタエレメントの層、特にラスタドット、好ましくはラスタライン、ＨＲＩ層、ＬＲＩ層（ＬＲＩ＝低屈折率）並びに／あるいは、２つ以上のＨＲＩ層及び／又はＬＲＩ層の組み合わせから選択される。特に、第１の光学的可変構造及び／又は第２の光学的可変構造は無彩色の光学的に可変の効果を生じさせる。特定の実施例において、反射層は、ファブリ−ペロー干渉層系、特に半透明な吸収層、透明な誘電体スペーサ層及び第２の半透明な吸収層を含む三層系、又は、好ましくは不透明なミラー層からなる。前述のように、そのような構造は、好ましくは、第１及び／又は第２の色を生成する。
【００５１】
好ましくは、反射層は、金属層、特にアルミニウム、銀、クロム、銅、金からなる。他の実施例において、反射層は、好ましくは、ＨＲＩ層（ＨＲＩ＝高屈折率）、特にＺｎＳ（硫化亜鉛）及び／又はＴｉＯ２（二酸化チタン）、ＺｒＯ２（酸化ジルコニウム）又は特定のポリマーからなる層、あるいは、ＬＲＩ層からなる。また、無機ＨＲＩ材料を顔料の形態で使用することも有利である。これらの材料は、特に、バインダーマトリックスに埋め込まれる。
【００５２】
第１の光学的可変構造及び／又は第２の光学的可変構造は、ボリュームホログラム及び／又は光学的にアクティブなレリーフ構造を含み、特に、鏡（鏡面）、回折格子、ホログラム、キノフォーム、非対称回折構造、マット構造、特に異方性マット構造、ブレーズド格子、ゼロ次回折構造、フレネル型自由曲面、屈折構造、特にマイクロミラー配列、光屈折又は集光構造、特にマイクロレンズ配列から選択されてもよい。
【００５３】
第１の光学的可変構造は、好ましくは、第２の光学的可変構造と異なる。特に、第１の光学的可変構造は、１つ又は複数の構造パラメータ、特にアライメント、格子周期、格子深さ、構造パラメータのランダム性について第２の光学的可変構造と異なり、かつ／あるいは光学的に可変の構造の異なるクラスに割り当てられる。
【００５４】
１つ又は複数の第１の層のうち少なくとも１つの第１の層は、第１のカラー層として形成され、かつ／又は、１つ又は複数の第２の層のうち少なくとも１つの第２の層は、第２のカラー層として形成されてもよい。
【００５５】
好ましくは、カラー層は、特に観察者が検出可能な色の印象を生成し、かつ／又はさらに好ましくはマスク層として使用される特定の機能層を意味する。
【００５６】
特に、色は、好ましくは、透明性及び／又は明確性又は散乱力に関して、ガラスのようにクリアで透明に染色された染色、透明に染色された散乱染色、あるいは不透明に染色された染色を意味する。色は、好ましくは、材料の固有の色として生じ、かつ／あるいは、視認方向において層の前方における付加的な染色層として設けられる。その下方に位置する層は、特に、観察者に対して、有色の外観を変化させる。本明細書において、好ましくは、色は、色相及び／又は色彩度及び／又は透明度に関して、ほとんど全て、特に全ての観察角度及び／又は照明角度において光学的に一定又は不変に見える。さらに、色自体が光学的に変化してもよい。色相及び／又は色彩度及び／又は色の透明度は、特に、観察角度及び／又は照射角度の変化に応じて変化する。
【００５７】
好ましくは、カラー層は、透明なカラー層として、特に透明又は半透明で透けて見えるカラー層として形成される。さらに好ましくは、カラー層は、好ましくは、紫外線の波長範囲、特に２００ｎｍ〜３８０ｎｍの波長範囲の光を吸収する添加物を含むことが好ましい。好ましくは、そのようなＵＶブロッカは、マスク層としてのカラー層の機能を促進する。特に、カラー層の色の印象を変更しないように、ＵＶブロッカは、人間の目に見える３８０ｎｍ〜７８０ｎｍの波長範囲における吸収を行わないか、あるいは非常に低い程度の吸収を行う。
【００５８】
特に、第１及び／又は第２のカラー層の色は、透明又は少なくとも半透明である。透過率は、特に人間の目に見える３８０ｎｍ〜７８０ｎｍの波長範囲の一部の範囲に亘って、好ましくは４３０ｎｍ〜６９０ｎｍの範囲において好ましくは５％〜９９％である。特に、観察者の視認方向において第１及び／又は第２のカラー層の下方に配置された第１及び／又は第２の光学的可変構造の光学的に可変の効果を検出可能である。
【００５９】
好ましくは、染料及び／又は顔料は、第１及び／又は第２のカラー層の発色性物質に適している。好ましくは、顔料は、それらが組み込まれる媒体に実質的に不溶性、特に不溶性である。好ましくは、染料は、使用中に溶解し、特に結晶及び／又は粒子構造を失う。利用可能な染料は、塩基性染料、脂溶性染料又は金属錯体染料である。利用可能な顔料は、有機及び無機顔料である。好ましくは、顔料は、一体に存在する材料から構成される。あるいは、他の実施例として、特に、顔料は、例えば異なる材料からなる複数の層を有する層構造として、及び／又は、例えば異なる材料からなり、特にコア及びシェルを含むカプセルとしての複合体構造を有する。
【００６０】
特に、第１及び／又は第２のカラー層は、好ましくは、ＩＲアップコンバータ（ＩＲ＝赤外線＝電磁放射スペクトルの赤外部分から又は電磁放射スペクトルの赤外部分からの１つ又は複数の部分領域からの電磁放射）、紫外線蛍光又は燐光染料、効果顔料、ナノ粒子、ＩＲ透過性成分、セキュリティエレメントのさらなる真正性チェックに使用可能な磁性粒子から選択されるさらなる物質及び／又は材料は有する。
【００６１】
ＩＲアップコンバータは、好ましくは、赤外線放射にさらされたときに、特に電磁スペクトルの可視波長範囲で光る物質及び／又は材料及び／又は添加物を意味する。
【００６２】
また、透明色又は半透明色に加えて又はその代わりに、第１及び／又は第２のカラー層は、少なくとも１つの第１の領域及び／又は少なくとも１つの第２の領域において、及び／又は全面に亘って、被覆又は不透明色を有していてもよい。
【００６３】
さらに、１つ又は複数の第１の層のうち１つ又は複数の第１の層及び／又は１つ又は複数の第２の層のうち１つ又は複数の第２の層は、電磁スペクトルの１つ又は複数の部分、例えば、人間の目では検出できないＵＶ範囲及び／又はＩＲ範囲において、透明又は半透明であってもよい。しかし、電磁スペクトルの１つ又は複数の部分は、技術的な補助器具、例えば、少なくとも１つのセンサ、特にＣＭＯＳセンサ（ＣＭＯＳ＝Complementary Metal-Oxide Semiconductor）及び／又はＣＣＤセンサ（ＣＣＤ＝Charge-Coupled Device）、好ましくは画像分光計などにより検出されてもよい。
【００６４】
好ましくは、１つ又は複数の第１の層のうち１つ又は複数の第１の層及び／又は１つ又は複数の第２の層のうち１つ又は複数の第２の層は、全面に亘って又はパターンとして１つ又は複数の色、特に第１及び／又は第２の色を有する。
【００６５】
さらに、第１のカラー層及び／又は第２のカラー層は、いくつかの異なる色から形成されるか、かつ／又はいくつかの異なる色からなる。また、これらは、好ましくは、第１及び第２のカラー層の重なり合い及び／又は第１及び第２のカラー層のスクリーニングにより形成される第１及び第２の色の混合色を含む領域を有する。特に、色彩度は第１及び／又は第２のカラー層において異なる。
【００６６】
好ましくは、第１のカラー層及び／又は第２のカラー層を観察したときに、観察者は個々の色又は混合された色を検出する。複雑な光学的に可変の多色イメージは、特に、対応する加法混色及び減法混色並びに光学的に可変の効果の光学的な重ね合わせにより生成され得る。色又は混合色の色は、好ましくは、１つ又は複数の第１及び／又は第２の光学的可変構造の明度の変動並びに／あるいは他の効果と組み合わされる。
【００６７】
特に好ましくは複製層に成形された第１の光学的に可変のレリーフ構造を部分的に光学的に取り除くワニス層は、第２のカラー層又は第２の光学的可変構造の複製層から構成されてもよい。
【００６８】
特に、第１のカラー層は１つ又は複数の第１の領域に設けられる。しかし、第１のカラー層は１つ又は複数の第２の領域には設けられない。第２のカラー層は、好ましくは、１つ又は複数の第１の領域及び１つ又は複数の第２の領域の双方に設けられる。さらに、第２のカラー層は、１つ又は複数の第２の領域に設けられ、１つ又は複数の第１の領域に設けられなくてもよい。
【００６９】
好ましくは、第１のカラー層及び第２のカラー層は異なる色を有する。特に、第１のカラー層は第１の色を有し、第２のカラー層は第２の色を有する。特に、第１のカラー層及び／又は第２のカラー層は、透明又は半透明層として形成される。好ましくは、第１及び／又は第２のカラー層は、透明なカラー層をそれぞれ形成又は構成する。
【００７０】
さらに、第１のカラー層及び／又は第２のカラー層は、染料及び／又は顔料、特に光学的に可変の顔料、液晶顔料、干渉層顔料を含む層、特に異なる屈折率を有する２つ以上の層を含む干渉層系、吸収層、スペーサ層及び反射層、液晶材料、特にコレステリック液晶材料を含む層、ボリュームホログラム層、金属層から選択されてもよい。
【００７１】
第１のカラー層及び／又は第２のカラー層が少なくとも所定の一方向に色の勾配及び／又は色の進行を有することは、そのようなセキュリティエレメントを複製する偽造の困難性を増加させるため、特に有利である。
【００７２】
第１のカラー層及び／又は第２のカラー層及び／又は反射層は、特に好ましくは互いに見当合わせされて配置される。
【００７３】
１つ又は複数の第１の層のうち少なくとも１つの第１の層は、透明又は半透明の複製層からなり、好ましくは全面に亘って形成され、光学的にアクティブなレリーフ構造は、少なくとも複製層の面に成形され、１つ又は複数の第１の領域において、不透明な金属反射層として形成される１つ又は複数の第１の層のうち１つの第１の層により覆われ、特に第１の領域を含まない１つ又は複数の第２の領域における複製層の面は、不透明な金属反射層により覆われなくてもよい。
【００７４】
さらに、１つ又は複数の第２の層のうち少なくとも１つの第２の層は、透明又は半透明の複製層からなり、好ましくは全面に亘って形成され、光学的にアクティブなレリーフ構造は、少なくとも複製層の面に成形され、１つ又は複数の第２の領域において、反射層として形成される１つ又は複数の第２の層のうち１つの第２の層により覆われてもよい。
【００７５】
また、１つ又は複数の第１の層のうち少なくとも１つの第１の層、好ましくは１つ又は複数の第１の領域において１つ又は複数の第１の開口部を有し、かつ／あるいは、１つ又は複数の第２の層のうち少なくとも１つの第２の層は、好ましくは１つ又は複数の第２の領域において１つ又は複数の第２の開口部を有していてもよい。特に、第１の開口部及び／又は第２の開口部は、５０％を超える、好ましくは９０％を超える透過率を有する。特に、第１の開口部の外側における１つ又は複数の第１の層のうち少なくとも１つの第１の層は、１０％未満、好ましくは５％未満の透過率を有する。
【００７６】
開口部は、特に透明度が高くかつ／又は９０％を超える透過率を有する１つ又は複数の開口部から構成されてもよい。好ましくは、開口部は、複数の穿孔及び／又は他の小さな切欠きの組み合わせから、特にラスタの形態で構成されてもよい。特に切欠き及び／又は面の閉鎖領域を含む開口部の表面被覆率に応じて、このような複合開口部は、好ましくは、２％を超える、さらに好ましくは５％を超える、さらにより好ましくは２０％を超える透過率、及び／又は９５％未満、好ましくは８０％未満、さらに好ましくは５０％未満の透過率を有する。
【００７７】
１つ又は複数の第１の開口部及び／又は１つ又は複数の第２の開口部が第１のラスタライゼーション及び／又は第２のラスタライゼーションとして設けられることが有利である。第１のラスタライゼーション及び／又は第２のラスタライゼーションの互いからの間隔、特に、第１のラスタライゼーション及び／又は第２のラスタライゼーションの互いからの平均間隔は、好ましくは３００μｍ以下、特に１５０μｍ以下である。人間の観察者が第１及び／又は第２のラスタライゼーションを光学的に解像することは不可能である。
【００７８】
特に、第１及び／又は第２のラスタライゼーションは、１つ又は複数のラスタラインをそれぞれ含む。好ましくは、ラスタラインは、直線状に延びているか、あるいは少なくとも所定のセクションにおいて湾曲している。また、第１及び／又は第２のラスタライゼーションは、ラスタ、特に振幅変調又は周波数変調されたドットラスタ、エレメントラスタ及び／又はラインラスタとして形成されてもよい。
【００７９】
第１のラスタライゼーションを有する１つ又は複数の第１の領域のうち少なくとも１つの第１の領域及び１つ又は複数の第２の領域のうち少なくとも１つの第２の領域は、少なくとも１つの第１の光学的可変効果及び少なくとも１つの第２の光学的可変効果が特に反射光及び／又は透過光の下で表側から見た観察者によって検出できるように重なってもよい。好ましくは、第１の光学的可変効果は、観察者により第１の色で検出可能であるか検出され、第２の光学的可変効果は、観察者により第２の色で検出可能であるか検出される。
【００８０】
さらに、少なくとも１つの第１の光学的可変効果及び少なくとも１つの第２の光学的可変効果が特に反射光及び／又は透過光の下で表側から見た観察者によって検出されるように、第２のラスタライゼーションを有する１つ又は複数の第２の領域のうち少なくとも１つの第２の領域及び１つ又は複数の第１の領域のうち少なくとも１つの第１の領域が重なっていてもよい。
【００８１】
また、セキュリティエレメントが傾斜かつ／又は屈曲かつ／又は回転したときに、少なくとも１つの第１の光学的可変効果及び／又は少なくとも１つの第２の光学的可変効果は、一連の色、特に一連の色値及び／又は一連の色明度及び／又は一連の色彩度、並びに／あるいは色の変化、特に、ムーブメント効果、モーフィング効果及び／又はフリップ効果、特にカラーフリップ効果を生じさせる色値の変化及び／又は色明度の変化及び／又は色彩度の変化、並びに／あるいは実質的に飛び出したり戻ったりする立体形状をもたらしてもよい。
【００８２】
好ましくは、モーフィング効果とは、１のモチーフから他のモチーフへの変形、変換又は移行を意味する。そのような変形、変換又は移行は、１つ又は複数の中間段階を含む。
【００８３】
好ましくは、フリップ効果とは、１つのモチーフから他のモチーフへの転換（切替）を意味する。この転換は、特に中間段階を経ずに行われる。
【００８４】
好ましくは、カラーフリップ効果とは、１つのモチーフ及び／又は有色のモチーフの１つの色から他の有色のモチーフ及び／又はモチーフの他の色への転換（切替）を意味する。この転換は、特に中間段階を経ずに行われる。
【００８５】
特に、色は、実質的に色値、色彩度及び色明度により表される。好ましくは、色値、色彩度及び色明度は、対応する割り当てられた座標によって、三次元の色空間、例えばＲＧＢ色空間又はＬ＊ａ＊ｂ＊色空間などに表される。Ｌ＊ａ＊ｂ＊色空間において、ａ＊軸では、緑色と赤色が互いに反対側に位置することが好ましく、ｂ＊軸では、黄色と青色が互いに反対側に位置することが好ましく、Ｌ＊は０〜１００の明度により色明度を表す。
【００８６】
以下、本方法の好ましい実施例について説明する。
【００８７】
好ましくは、第１のセキュリティ機能部及び／又は第２のセキュリティ機能部及び／又は第１及び／又は第２のセキュリティ機能部を有するセキュリティエレメントは、特に、キャリアプライを使用せずに、ホットスタンプ又は低温転写によって、セキュリティ文書、特に身分証明書及び／又は有価証券、例えば紙幣などに転写される。転写されるセキュリティ機能部及び／又はセキュリティエレメントの形状は、好ましくは、ホットスタンピングの場合は金型の形状の選択により、又は、低温転写の場合は接着印刷の選択によって決まる。
【００８８】
また、第１のセキュリティ機能部及び／又は第２のセキュリティ機能部並びに／あるいは第１及び／又は第２のセキュリティ機能部を有するセキュリティエレメントは、ラミネートフィルム又はパッチ又はラミネートパッチとして、セキュリティ文書に転写されてもよい。さらに、第１のセキュリティ機能部及び／又は第２のセキュリティ機能部並びに／あるいは第１及び／又は第２のセキュリティ機能部を有するセキュリティエレメントは、特に、基板に対する転写のために、少なくとも１つの低温接着層を有するダイカットラベルとして提供される。
【００８９】
さらに、第１のセキュリティ機能部及び／又は第２のセキュリティ機能部並びに／あるいは第１のセキュリティ機能部及び／又は第２のセキュリティ機能部を有するセキュリティエレメントは、スレッド（糸）としてセキュリティ文書に組み込まれてもよい。例えば、これは、抄紙機において、まだ湿っている紙材料又は湿気のある紙材料にスレッドを埋め込むことによって行われる。これは、好ましくは、ラミネート工程中に、スレッドを文書、文書の一部又は基板にラミネートすることによって行われる。特に、これらは複数のプライからなる。また、これは、スレッドを押出工程に導入することによって行ってもよい。好ましくは、スレッドは押出プラスチック基板の内側に配置される。特に、前述した例を組み合わせてもよい。
【００９０】
さらに、転写法において、第１のセキュリティ機能部及び／又は第２のセキュリティ機能部並びに／あるいは第１及び／又は第２のセキュリティ機能部を有するセキュリティエレメントを基板に転写してもよい。この基板は、次いでさらなるプライ及び／又は層に結合されて文書本体を形成する。そのような転写法は、特に文書、例えば、カード又はパスポートにおけるデータを記載したページの生成に使用される。好ましくは、材料は、紙、ＰＶＣ、ＰＣ、ＰＥＴ、Ｔｅｓｌｉｎ（登録商標）、ＡＢＳ及び／又はこれらの材料の組み合わせから選択される。前記転写法において、好ましくは、セキュリティエレメントのキャリアプライは文書内又は文書上に留まるか、あるいは転写後に取り除かれる。
【００９１】
特に、第１のセキュリティ機能部及び／又は第２のセキュリティ機能部並びに／あるいは第１及び／又は第２のセキュリティ機能部を有するセキュリティエレメントは、単体で形成され、かつ／又は転写され、かつ／又はセキュリティ機能部の一部、例えばキネグラム（登録商標）となる。
【００９２】
前記方法において、第１のセキュリティ機能部及び／又は第２のセキュリティ機能部並びに／あるいは第１及び／又は第２のセキュリティ機能部を有するセキュリティエレメントは、有利には、同一のキャリアプライ上でキネグラムとともに構成又は生成される。
【００９３】
また、第１のセキュリティ機能部及び／又は第２のセキュリティ機能部並びに／あるいは第１及び／又は第２のセキュリティ機能部を有するセキュリティエレメントは、例えば、ラミネート法又はスタンピング法、特にホットスタンピング法及び／又はコールドスタンピング法により、別々に形成され、キネグラムのキャリアプライ上に転写されてもよい。第１のセキュリティ機能部及び／又は第２のセキュリティ機能部並びに／あるいは第１及び／又は第２のセキュリティ機能部を有するセキュリティエレメントは、特に、キャリアプライの表側又は裏側あるいはキネグラムの層が形成される側に転写されるか又は形成される。
【００９４】
ステップａ）において、少なくとも１つの第１のカラー層並びに／あるいは１つ又は複数の第１の光学的可変構造を形成しかつ／又は１つ又は複数の第１の光学的可変構造を有する１つ又は複数の層は、好ましくは、１つの第１の層又は複数の第１の層としてキャリアプライに適用されてもよい。１つ又は複数の第１の光学的可変構造は、１つ又は複数の第１の領域に形成され、１つ又は複数の第２の領域に形成されなくてもよい。さらに、ステップａ）において、少なくとも１つの第１のカラー層は、１つ又は複数の第１の領域に適用され、１つ又は複数の第２の領域に適用されないか、あるいは適用後に取り除かれてもよい。
【００９５】
特に、ステップａ）において、少なくとも１つの第１の複製層は、１つの第１の層として、特に全面に亘って又は所定の領域において適用され、かつステップａ）において、レリーフ構造は、好ましくは、第１の光学的可変構造として少なくとも１つの第１の複製層に成形されてもよい。
【００９６】
ステップａ）において、少なくとも１つの第１の不透明層、特に第１の不透明金属層は、第１の層として、第１の複製層に適用されてもよい。好ましくは、第１の不透明層は、１つ又は複数の第１の領域に適用されるが、１つ又は複数の第２の領域に適用されず、あるいは、１つ又は複数の第２の領域に適用された後に取り除かれ、好ましくは、第１のカラー層に対する見当合わせが正確な露光マスクとしての第１のカラー層を用いて取り除かれる。
【００９７】
さらに、ステップｂ）において、少なくとも１つの第２のカラー層並びに／あるいは１つ又は複数の第２の光学的可変構造を形成しかつ／又は１つ又は複数の第２の光学的可変構造を有する１つ又は複数の層は、１つの第２の層又は複数の第２の層として、好ましくはキャリアプライ及び／又は少なくとも第１のカラー層に適用されてもよい。
【００９８】
ステップｂ）において、好ましくは、少なくとも１つの第２のカラー層は、１つ又は複数の第２の領域及び１つ又は複数の第１の領域に適用される。また、ステップｂ）において、少なくとも１つの第２のカラー層は、１つ又は複数の第２の領域に適用され、１つ又は複数の第１の領域に適用されなくてもよい。
【００９９】
好ましくは、ステップｂ）において、少なくとも１つの第２の複製層は、複数の１つの第２の層として、特に全面に亘って又は所定の領域に適用される。ステップｂ）において、レリーフ構造は、第２の光学的可変構造として、少なくとも１つの第２の複製層上に及び／又は少なくとも１つの第２の複製層内に成形される。
【０１００】
好ましくは、第２の光学的可変構造は、１つ又は複数の第１の領域及び１つ又は複数の第２の領域の双方に成形される。
【０１０１】
特に、ステップｂ）において、少なくとも１つの第２の不透明層、特に第２の不透明金属層は、第２の層として第２の複製層に適用される。好ましくは、第２の不透明層は、１つ又は複数の第２の領域に適用される一方、好ましくは１つ又は複数の第１の領域に適用されないか、あるいは、１つ又は複数の第１の領域に適用された後に当該領域から除去される。
【０１０２】
ステップａ）及び／又はｂ）において、１つ又は複数の第１のカラー層のうち１つ又は複数の第１のカラー層及び／又は１つ又は複数の第２のカラー層のうち１つ又は複数の第２のカラー層は、印刷法又はコーティング法、特にデジタル印刷、特にインクジェット印刷、電子写真（ゼログラフィック）印刷又はグラビア印刷、スクリーン印刷、オフセット印刷、スロットキャスティング、メタライゼーション及び／又はスパッタリングにより適用されてもよい。
【０１０３】
さらに、第１の光学的可変構造を形成する１つ又は複数の第１の層及び／又は第２の光学的可変構造を形成する１つ又は複数の第２の層は、少なくとも１つの反射層を有していてもよい。好ましくは、少なくとも１つの反射層は、不透明、半透明又は透明の反射層として形成され、特に、金属層、部分的な形状を有する金属層、メタリックのラスタドット及び／又はラスタライン及び／又は異なる形状を有するラスタエレメントの層、ＨＲＩ層、ＬＲＩ層、並びに／あるいは、２つ以上のＨＲＩ層及び／又はＬＲＩ層の組み合わせから選択される。
【０１０４】
また、ステップａ）及び／又はｂ）において、１つ又は複数の第１のカラー層のうち１つ又は複数の第１のカラー層及び／又は１つ又は複数の第２のカラー層のうち１つ又は複数の第２のカラー層及び／又は少なくとも１つの反射層は、互いに見当合わせされて配置されてもよい。
【０１０５】
特に、ステップｂ）において、１つ又は複数の第２の層のうち１つ又は複数の第２の層は、特に金属層、部分的な形状を有する金属層、反射層、メタリックのラスタドットの層、ＨＲＩ層、ＬＲＩ層及び／又は２つ以上のＨＲＩ層及び／又はＬＲＩ層の組み合わせから選択される１つ又は複数の第２の不透明、半透明又は透明層として、１つ又は複数の第１の領域のうち１つ又は複数の第１の領域及び／又は１つ又は複数の第２の領域のうち１つ又は複数の第２の領域において、少なくとも１つの第１の複製層及び／又は少なくとも１つの第１の不透明層及び／又は少なくとも１つの第２の複製層に適用される。
【０１０６】
ポジ型フォトレジスト及び／又はネガ型フォトレジスト及び／又は画像（イメージ）反転フォトレジストは、少なくとも１つの第１の不透明層の形成及び／又は少なくとも１つの第２の不透明層の形成のために用いられてもよい。特に、ポジ型フォトレジスト及び／又はネガ型フォトレジストは、１つ又は複数の第１のカラー層のうち１つ又は複数の第１のカラー層及び／又は１つ又は複数の第２のカラー層のうち１つ又は複数の第２のカラー層からなる。１つ又は複数の第１のカラー層及び／又は１つ又は複数の第２のカラー層は、第１のエッチングマスク及び／又は第２のエッチングマスクとして使用される。好ましくは、ポジ型フォトレジストは、特に電磁放射、特にＵＶ放射の影響下で、溶媒、好ましくは現像液への溶解度が増加する感光性ワニスを意味する。
【０１０７】
画像反転フォトレジストは、好ましくは、露光領域の溶解度が好ましくは熱の影響下で選択的に減少するポジ型フォトレジストを意味し、これにより、前記領域は特に現像液の新たなフラッド露光に抵抗する。
【０１０８】
ネガ型フォトレジストは、好ましくは、電磁放射、特にＵＶ放射の影響下で溶媒への溶解度が減少する感光性ワニスを意味する。
【０１０９】
少なくとも１つの第１の複製層及び／又は少なくとも１つの第１の不透明層及び／又は１つ又は複数の第１のカラー層及び／又は少なくとも１つの第２の複製層及び／又は少なくとも１つの第２の不透明層及び／又は１つ又は複数の第２のカラー層及び／又は少なくとも１つの反射層は、放射線硬化性成分を有していてもよい。当該放射線硬化性成分は、キャリアプライ及び／又は少なくとも１つの第１の複製層及び／又は少なくとも１つの第１の不透明層及び／又は１つ又は複数の第１のカラー層及び／又は少なくとも１つの第２の複製層及び／又は少なくとも１つの第２の不透明層及び／又は１つ又は複数の第２のカラー層及び／又は少なくとも１つの反射層に適用及び／又はスタンプ及び／又は印刷された後、好ましくは電磁波により硬化する。
【０１１０】
さらに、少なくとも１つの第１の複製層及び／又は少なくとも１つの第１の不透明層及び／又は１つ又は複数の第１のカラー層及び／又は少なくとも１つの第２の複製層及び／又は少なくとも１つの第２の不透明層及び／又は１つ又は複数の第２のカラー層及び／又は少なくとも１つの反射層の電磁波による硬化及び／又は構造化の間に、１つ又は複数の第１のカラー層が第１の露光マスクとして設けられ、かつ／又は、１つ又は複数の第２のカラー層が第２の露光マスクとして設けられてもよい。
【０１１１】
また、ステップａ）及び／又はｂ）において、１つ又は複数の第１の開口部及び／又は第２の開口部は、少なくとも１つの第１の複製層及び／又は少なくとも１つの第１の不透明層及び／又は１つ又は複数の第１のカラー層及び／又は少なくとも１つの第２の複製層及び／又は少なくとも１つの第２の不透明、半透明又は透明層及び／又は１つ又は複数の第２のカラー層及び／又は少なくとも１つの反射層に設けられてもよい。好ましくは、１つ又は複数の開口部は、５０％を超える、特に９０％を超える、及び／又は好ましくは１０％未満、特に５％未満の透過率を有する。
【０１１２】
さらに、セキュリティエレメント及び／又は第１のセキュリティ機能部及び／又は第２のセキュリティ機能部は、機能層、好ましくは、例えば、ホットメルト材料からなり、キャリアプライの反対側となる剥離層の側に設けられた多層体の他の層からキャリアプライをより容易に剥離させる剥離層を有していてもよい。これは、多層体が、例えばホットスタンピング法、コールドスタンピング法又はＩＭＤ法（ＩＭＤ＝In-Mold Decoration）などにより転写プライとして形成される場合に特に有利である。
【０１１３】
さらに、特に、多層体が転写フィルムとして使用される場合、剥離層に加えて、機能層が、少なくとも１つの保護層、例えば保護ワニス層を有する場合に効果的である。多層体が基板に接合され、好ましくはキャリアプライの反対側となる剥離層に配置された多層体の層からキャリアプライが剥離された後、保護層は、好ましくは、下方に設けられた層を摩耗、損傷、化学的な攻撃などから保護する。特に、キャリアフィルムを除去した後の最上位層は、好ましくは熱転写法、インクジェット及び／又はオフセット印刷法による、例えば、オーバーラミネーションの場合の接着性又は印刷性の確保などのさらなる機能を有する。さらに、機能層は、特に、隣接する層に対する接着又は隣接する層間の接着を向上させるプライを含む。
【０１１４】
特に、第１の透明で有色のワニス層は、個々の部分的な領域で機能層に印刷される。本明細書において、好ましくは、透明とは、ワニス層が、好ましくは、可視波長範囲の放射線に対して少なくとも部分的に透明であることを意味する。本明細書において、好ましくは、有色とは、ワニス層が、特に十分な日光の下で目に見える色の印象を示すことを意味する。
【０１１５】
第１のワニス層が印刷された機能層の領域及び印刷されていない機能層の領域の双方は、好ましくは、装飾プライのレリーフ構造、つまり印刷されている領域及び印刷されていない領域における異なる高さを好ましくは少なくとも部分的に均等化する第１の複製層により覆われる。特に、複製層は、レリーフ構造を完全に又は部分的に有する。好ましくは、薄い金属層は、キャリアプライの平面に対して垂直に見たときに、第１の有色ワニス層と一致するように見当合わせされて第１の複製層上に設けられる。
【０１１６】
好ましくは、第２の透明で有色のワニス層は、第１の金属層における個々の部分的な領域及び金属層によって覆われていない第１の複製層の領域に印刷される。第２の有色ワニス層が印刷されている領域及び印刷されていない領域、好ましくは第１の複製層及び／又は第１の金属層は、装飾プライのレリーフ構造、つまり、印刷された領域及び印刷されていない領域の異なる高さを好ましくは均等化する第２の複製層により覆われる。ワニスの化学的性質、適用量及び適用条件に応じて、部分的な均等化だけが行われることが好ましい。しかし、これは、特に、特徴部の実現に際して決定的なものではない。好ましくは、複製層は、レリーフ構造を完全に又は部分的に有する。好ましくは、第２の薄い金属層は、キャリアプライの平面に対して垂直に見たときに、第１及び第２のワニス層と一致するように見当合わせされ、したがって特に第１の金属層とも見当合わせされて第２の複製層上に設けられる。
【０１１７】
第２の金属層により覆われた第２の複製層の領域及び覆われていない第２の複製層の領域の双方は、好ましくは、特に所定の領域に設けられたレリーフ構造及び金属層により生じる高さの違いを均等化するか又は高さの違いを覆って満たす補償層により覆われる。好ましくは、多層体は、キャリアプライとは反対側となる補償層の側に、略平坦で実質的に構造化されていない面を有する。特に、このように補償層の厚さが変化する。好ましくは、補償層は、バリア層又は接着層として、例えば、隣接する層に対する接着の向上、化学的及び／又は物理的攻撃に対する保護などのさらなる機能的な役割を果たす。
【０１１８】
補償層が第２の複製層と同様の屈折率を有する場合、及び／又は、屈折率の差が約０．３未満である場合、特に、第２の金属層により覆われておらず、補償層に直接隣接する、第２の複製層におけるレリーフ構造の領域は、好ましくは、光学的に除去される。これは、複製層と補償層との間における光学的に認識可能な層の境界が、好ましくは、２つの層の同様の屈折率によりそこに存在しないためである。
【０１１９】
好ましくは、多層体は、接着層により基板に設けられる、転写フィルムの１つのセクション、例えば、ホットスタンピングフィルムである。好ましくは、補償層は、接着層、例えばホットメルト接着剤として設計されるか、あるいは、接着層は、キャリアプライの反対側となる補償層の側に取り付けられる。特に、接着層は、熱作用で溶融し、多層体を基材表面に接合するホットメルト接着剤である。
【０１２０】
ラミネートフィルムとして多層体を展開する場合、すなわち、多層体の層からキャリアプライを剥離するための剥離層を設けない場合、付加的にあるいは接着層の代わりに、さらなるキャリアプライが、第１のキャリアプライの反対側となる補償層の側に設けられることが好ましい。好ましくは、外側に２つのキャリアプライを有し、内側に多層体の層を有するこの積層体は、例えば、さらなる用途のために、例えばポリカーボネート（ＰＣ）などのカード複合体に積層される。このため、キャリアプライは、積層体に隣接した例えばＰＣのカード複合体の層と同一の材料からなると有利である。
【０１２１】
以下、添付の図面を参照して複数の実施例に基づいて本発明を説明する。
【図面の簡単な説明】
【０１２２】
【図１】図１はセキュリティエレメントの概略図である。
【図２】図２はセキュリティエレメントの概略図である。
【図３】図３はセキュリティエレメントの概略図である。
【図４ａ】図４ａはセキュリティエレメントの概略図である。
【図４ｂ】図４ｂはセキュリティエレメントの概略図である。
【図４ｃ】図４ｃはセキュリティエレメントの概略図である。
【図４ｄ】図４ｄはセキュリティエレメントの概略図である。
【図４ｅ】図４ｅはセキュリティエレメントの概略図である。
【図４ｆ】図４ｆはセキュリティ機能部の概略図である。
【図４ｇ】図４ｇはセキュリティ機能部の概略図である。
【図５】図５はセキュリティエレメントの概略図である。
【図６】図６はセキュリティエレメントの概略図である。
【図７】図７はセキュリティエレメントの概略図である。
【図８】図８はセキュリティエレメントの概略図である。
【図９】図９はセキュリティエレメントの概略図である。
【図１０】図１０はセキュリティエレメントの概略図である。
【図１１】図１１はセキュリティエレメントの概略図である。
【図１２】図１２はセキュリティエレメントの概略図である。
【図１３】図１３はセキュリティエレメントの概略図である。
【図１４】図１４はセキュリティエレメントの概略図である。
【図１５】図１５はセキュリティエレメントの概略図である。
【図１６】図１６はセキュリティエレメントの概略図である。
【図１７】図１７はセキュリティエレメントの概略図である。
【図１８】図１８はセキュリティエレメントの概略図である。
【図１９】図１９はセキュリティエレメントの概略図である。
【図２０】図２０はセキュリティエレメントの概略図である。
【図２１】図２１はセキュリティエレメントの概略図である。
【図２２】図２２はセキュリティエレメントの概略図である。
【図２３】図２３はセキュリティエレメントの概略図である。
【図２４】図２４はセキュリティエレメントの概略図である。
【図２５】図２５はセキュリティエレメントの概略図である。
【図２６】図２６はセキュリティエレメントの概略図である。
【図２７】図２７はセキュリティエレメントの概略図である。
【図２８】図２８はセキュリティエレメントの概略図である。
【図２９】図２９はセキュリティエレメントの概略図である。
【図３０】図３０はセキュリティエレメントの概略図である。
【図３１】図３１はセキュリティエレメントの概略図である。
【図３２】図３２はセキュリティエレメントの概略図である。
【図３３】図３３はセキュリティエレメントの概略図である。
【図３４】図３４はセキュリティエレメントの概略図である。
【図３５】図３５はセキュリティエレメントの概略図である。
【図３６】図３６はセキュリティエレメントの概略図である。
【図３７】図３７はセキュリティエレメントの概略図である。
【図３８】図３８はセキュリティエレメントの概略図である。
【図３９】図３９はセキュリティエレメントの概略図である。
【図４０】図４０はセキュリティエレメントの概略図である。
【図４１】図４１はセキュリティエレメントの概略図である。
【発明を実施するための形態】
【０１２３】
図１は、表側３ｂと、表側３ｂの反対側に位置する裏側３ａと、を有するセキュリティエレメント１の断面を示している。セキュリティエレメント１は、２つ以上のセキュリティ機能部２を有する。２つ以上のセキュリティ機能部２の第１のセキュリティ機能部２ａは、１つ又は複数の第１の層２１を含み、２つ以上のセキュリティ機能部２の第２のセキュリティ機能部２ｂは、１つ又は複数の第２の層２２を含む。第１のセキュリティ機能部２ａ及び第２のセキュリティ機能部２ｂは特に互いに見当合わせされて配置される。第１のセキュリティ機能部２ａは少なくとも１つの第１の光学的可変効果を生じさせ、第２のセキュリティ機能部２ｂは少なくとも１つの第２の光学的可変効果を生じさせる。少なくとも１つの第１の光学的可変効果は第１の色を有し、少なくとも１つの第２の光学的可変効果は第２の色を有する。第１の色及び第２の色は互いに異なる。
【０１２４】
さらに、図１は、キャリアプライ１０を有するセキュリティエレメント１を示している。例えば、機能層２０として形成される第１の層２１は、キャリアプライ１０の裏側３ａに適用される。第１の層２１は、３つの第１の領域３１において、キャリアプライ１０とは反対側となる機能層２０の側に適用される。第１の層２１は、第１のカラー層２１３として形成される。第１の複製層２１６として形成されるさらなる第１の層２１は、キャリアプライ１０とは反対側となる機能層２０の側に適用されるとともに、キャリアプライ１０とは反対側となる第１のカラー層２１３の側に適用される。第１の金属層２１７として形成されるさらなる第１の層２１は、３つの第１の領域３１において、キャリアプライ１０とは反対側となる第１の複製層２１６の側に適用される。好ましくは、機能層２０、第１のカラー層２１３、第１の複製層２１６及び第１の金属層２１７は、第１のセキュリティ機能部２ａを形成する。また、そのようなセキュリティ機能部２ａは図２に示されている。
【０１２５】
さらに、図１に示すセキュリティ機能部１は、第２のカラー層２２３として形成される第２の層２２を有する。第２の層２２は、第２の領域３２において、キャリアプライ１０とは反対側となる第１の複製層２１６の側及び第１の金属層２１７の側に設けられる。第２の複製層２２６は、キャリアプライ１０とは反対側となる第１の複製層２１６の側及び第２のカラー層２２３の側に適用される。キャリアプライ１０とは反対側となる第２の複製層２２６の側において第２の領域３２に、第２の金属層２２７として形成されるさらなる第２の層２２が設けられる。好ましくは、第２のカラー層２２３、第２の複製層２２６及び第２の金属層２２７は、第２のセキュリティ機能部２ｂを形成する。
【０１２６】
図１に示した３つの第１の領域３１及び第２の領域３２を有するセキュリティエレメント１を製造する方法は以下のステップを有する。ステップａ）：１つ又は複数の第１の層２１を有する第１のセキュリティ機能部２ａをキャリアプライ１０に適用するステップ。第１のセキュリティ機能部２ａは少なくとも１つの第１の光学的可変効果を生じさせる。少なくとも１つの第１の光学的可変効果は第１の色を有する。ステップｂ）：第１のセキュリティ機能部２ａが特に第２のセキュリティ機能部２ｂと見当合わせされて配置されるように、１つ又は複数の第２の層２２を有する第２のセキュリティ機能部２ｂをキャリアプライ１０及び／又は第１のセキュリティ機能部２ａに適用するステップ。第２のセキュリティ機能部２ｂは少なくとも１つの第２の光学的可変効果を生じさせる。少なくとも１つの第２の光学的可変効果は第２の色を有する。第１の色及び第２の色は互いに異なる。
【０１２７】
ステップａ）において、第１のカラー層２１３及び／又は１つ又は複数の第１の光学的可変構造を形成しかつ／あるいは１つ又は複数の第１の光学的可変構造を有する１つ又は複数の層は、好ましくは、１つの第１の層２１又は複数の第１の層２１としてキャリアプライ１０に適用される。好ましくは、１つ又は複数の第１の光学的可変構造は、１つ又は複数の第１の領域３１に形成される一方、１つ又は複数の第２の領域３２に形成されないか、あるいは、その下方に設けられた光学的に可変の構造を有する層と０．３以下、好ましくは０．１以下だけ屈曲率が異なるワニス層により光学的に除去される。
【０１２８】
ステップａ）において、第１のカラー層２１３は、３つの第１の領域３１に適用される一方、第２の領域３２に適用されないか、あるいは、適用後に３つの第１の領域３１と重ならない第２の領域３２から取り除かれてもよい。
【０１２９】
さらに、ステップａ）において、第１の複製層２１６は、第１の層２１として特に全面に亘って又は所定の領域において適用され、かつステップａ）において、レリーフ構造は、第１の光学的可変構造として第１の複製層２１６に成形されてもよい。
【０１３０】
さらに、ステップａ）において、少なくとも１つの第１の不透明層、特に第１の不透明金属層は、第１の層２１として第１の複製層２１６に適用されてもよい。好ましくは、第１の不透明層は、１つ又は複数の第１の領域３１に適用される一方、１つ又は複数の第２の領域３２に適用されないか、あるいは、適用後に取り除かれ、好ましくは、第１のカラー層２１３に対して正確に見当合わせされた露光マスクとして第１のカラー層２１３を使用して取り除かれてもよい。第１の金属層２１７は、例えば、第１の不透明金属層として形成されてもよい。
【０１３１】
好ましくは、ステップｂ）において、第２のカラー層２２３及び／又は１つ又は複数の第２の光学的可変構造を形成しかつ／あるいは１つ又は複数の第２の光学的可変構造を有する１つ又は複数の層は、特に、キャリアプライ１０及び／又は１つの第２の層２２又は複数の第２の層２２としての第１のカラー層２１３に適用される。特に、ステップｂ）において、第２のカラー層２２３は第２の領域３２及び３つの第１の領域３１に適用されてもよい。さらに、ステップｂ）において、第２のカラー層２２３は、第２の領域３２に適用され、３つの第１の領域３１に適用されなくてもよい。
【０１３２】
特に、ステップｂ）において、第２の複製層２２６は、１つの第２の層２２として全面に亘って適用される。ステップｂ）において、好ましくは、レリーフ構造は、第２の光学的可変構造として第２の複製層２２６上及び／又は第２の複製層２２６内に成形される。第２の光学的可変構造は、３つの第１の領域３１及び第２の領域３２の双方に成形されてもよい。
【０１３３】
さらに、ステップｂ）において、少なくとも１つの第２の不透明層２２０ａ、第２の不透明金属層２２０ｂは、第２の層２２として第２の複製層２２６に適用されてもよい。好ましくは、第２の不透明層２２０ａは、第２の領域３２に適用される一方、好ましくは、３つの第１の領域３１に適用されないか、あるいは、適用後に取り除かれる。例えば、第２の金属層２２７は、第２の不透明金属層として形成される。
【０１３４】
第１の光学的可変構造を形成する１つ又は複数の第１の層２１及び／又は第２の光学的可変構造を形成する１つ又は複数の第２の層２２は、好ましくは、少なくとも１つの反射層を有する。少なくとも１つの反射層は、不透明、半透明又は透明の反射層として形成され、好ましくは、金属層、部分的な形状を有する金属層、メタリックのラスタドットの層、ＨＲＩ層、ＬＲＩ層、あるいは複数のＨＲＩ層及び／又はＬＲＩ層の組み合わせから選択される。
【０１３５】
ステップａ）及び／又はｂ）において、第１のカラー層２１３及び／又は第２のカラー層２２３及び／又は少なくとも１つの反射層は互いに見当合わせされて配置されてもよい。
【０１３６】
特に、ステップｂ）において、１つ又は複数の第２の層２２のうち１つ又は複数の第２の層は、１つ又は複数の不透明、半透明又は透明層、特に金属層、部分的な形状を有する金属層、反射層、メタリックのラスタエレメントの層、例えばラスタドット及び／又はラスタライン、ＨＲＩ層、ＬＲＩ層あるいはＨＲＩ層及び／又はＬＲＩ層の組み合わせから選択される層として、３つの第１の領域３１及び／又は第２の領域３２において少なくとも１つの第１の複製層２１６及び／又は第１の金属層２１７及び／又は第２の複製層２２６に適用される。
【０１３７】
ポジ型フォトレジスト及び／又はネガ型フォトレジストは、少なくとも１つの第１の不透明層、特に第１の金属層２１７ａの形成及び／又は少なくとも１つの第２の不透明層、特に第２の金属層２２７ａの形成に用いられてもよい。第１のカラー層２１３及び／又は第２のカラー層２２３は、第１のエッチングマスク及び／又は第２のエッチングマスクとして使用される。例えば、ポジ型フォトレジストが、全面に亘って第１の金属層２１７ａに適用され、次いで、セキュリティエレメント１が表側３ｂから、つまりキャリアプライ１０を通して適切な放射線により露光される場合、ポジ型フォトレジストは、第１の領域３１における第１のカラー層２１３によって放射線から保護される。他の領域において、ポジ型フォトレジストは、続いて適用される適切な溶媒に溶解し、これにより、フォトレジストは、第１のカラー層２１３により保護されていない領域において洗浄される。覆われていない第１の金属層は、好ましくは、フォトレジストと同じ溶媒に溶解する。この場合、第１の金属層の構造化は、露出したポジ型フォトレジストの洗浄と同時に行われる。
【０１３８】
さらに、第１の複製層２１６及び／又は少なくとも１つの第１の金属層２１７及び／又は第１のカラー層２１３及び／又は第２の複製層２２６及び／又は第２の金属層２２７及び／又は第２のカラー層２２３は、キャリアプライ１０及び／又は第１の複製層２１６及び／又は第１の金属層２１７及び／又は第１のカラー層２１３及び／又は第２の複製層２２６及び／又は第２の金属層２２７及び／又は第２のカラー層２２６に適用されかつ／あるいはスタンプされかつ／あるいは印刷された後で好ましくは電磁波により硬化する放射線硬化性成分を有していてもよい。
【０１３９】
好ましくは、第１の複製層２１６及び／又は第１のカラー層２１３及び／又は第２の複製層２２６及び／又は第２のカラー層２２３が電磁波によって硬化する間に、第１のカラー層２１３は第１の露光マスクとして設けられ、かつ／又は、第２のカラー層２２３は第２の露光マスクとして設けられる。
【０１４０】
さらに、ステップａ）及び／又はｂ）において、１つ又は複数の第１の開口部及び／又は１つ又は複数の第２の開口部を、第１の複製層２１６及び／又は第１の金属層２１７及び／又は第１のカラー層２１３及び／又は第２の複製層２２６及び／又は第２の金属層２２７及び／又は第２のカラー層２２３に設けてもよい。好ましくは、１つ又は複数の第１の開口部は、透過率５０％を超える、特に９０％を超える透過率であって、かつ／又は好ましくは１０％未満、特に５％未満の透過率を有する。
【０１４１】
１つ又は複数の第１の層２１の１つ又は複数の第１の層２０，２１３，２１６，２１７及び／又は１つ又は複数の第２の層２２の１つ又は複数の第２の層２２３，２２６，２２７は、特に１つの平面において互いに隣接して配置されてもよいし、あるいは、特に複数の平面において一方が他方の下方に配置されてもよい。そのような平面は、好ましくは、第１及び／又は第２の層２１，２２の一方に亘っている。
【０１４２】
セキュリティエレメント１を表側３ｂから見たときに、１つ又は複数の第１の層２０，２１３，２１６，２１７が１つ又は複数の第２の層２２３，２２６，２２７の上方に位置し、かつセキュリティエレメント１を裏側３ａから見たときに、１つ又は複数の第２の層２２が１つ又は複数の第１の層２１と完全に重なるように、図１に示したセキュリティエレメント１は、第１の層２０，２１３，２１６，２１７及び第２の層２２３，２２６，２２７の空間的な配置を有する。
【０１４３】
また、セキュリティエレメント１を裏側３ａから見たときに、１つ又は複数の第１の層２０，２１３，２１６，２１７は、１つ又は複数の第２の層２２３，２２６，２２７の上方に配置され、セキュリティエレメント１を表側３ｂから見たときに観察者にとって表側及び／又は裏側において、１つ又は複数の第２の層２２は、特に、１つ又は複数の第１の層２１に完全に又は部分的に重なるかあるいは１つ又は複数の第１の層２１に重ならず、あるいは特に少なくとも所定の領域において互いに隣接してもよい。
【０１４４】
ステップｂ）において、第２の光学的可変構造が好ましくは導入される第２のカラー層２２３及び第２の複製層２２６が適用されることが好ましい。第２の光学的可変構造の導入は、例えば、熱複写又は紫外線複写により行われる。第２の光学的可変構造は、アルミニウムからなる第２の層により金属化されてもよい。
【０１４５】
さらに、第３又は第４のカラー層が第２の複製層２２６及び／又は第２の光学的可変構造に適用されてもよい。好ましくは、第１のカラー層２１３及び／又は第２のカラー層２２３は、マスクとして、特に第１の露光マスク及び／又は第２の露光マスクとして使用される。本実施例において、キャリアプライ１０は、特に、透明又は少なくとも半透明に形成される。
【０１４６】
また、反射光の下で見たとき及び／又は透過光の下で表側３ｂ及び／又は裏側３ａから見たときに、第１のセキュリティ機能部２ａがセキュリティエレメント１の１つ又は複数の第１の領域３１において視認され、第２のセキュリティ機能部２ｂがセキュリティエレメント１の１つ又は複数の第２の領域３２において視認される。
【０１４７】
さらに、１つ又は複数の第１の領域３１及び／又は１つ又は複数の第２の領域３２は、少なくとも所定のセクションにおいて互いに隣接し、特に物理的に互いに隣接し、かつ／あるいは、好ましくは表側及び／又は裏側から見た観察者にとって見かけ上隣接するだけであってもよい。好ましくは、第１のセキュリティ機能部２ａは、１つ又は複数の第１の領域３１において不透明に形成され、１つ又は複数の第２の領域３２において透明又は半透明に形成される。１つ又は複数の第１の層２１は、不透明層として、特に不透明な金属層として形成されてもよい。不透明層は１つ又は複数の第１の領域３１に設けられるが、１つ又は複数の第２の領域３２に設けられない。
【０１４８】
さらに、１つ又は複数の第１の層２１のうち１つ又は複数の第１の層が第１の光学的可変構造を形成しかつ／又は第１の光学的可変構造を有してもよく、並びに／あるいは、１つ又は複数の第２の層２２のうち１つ又は複数の第２の層が第２の光学的可変構造を形成しかつ／又は第２の光学的可変構造を有してもよい。好ましくは、第１の光学的可変構造は、１つ又は複数の第１の領域３１に設けられるが、１つ又は複数の第２の領域３２に設けられない。
【０１４９】
さらに、第１の光学的可変構造は、複製層に成形される光学的に可変のレリーフ構造として形成され、光学的に可変のレリーフ構造は、１つ又は複数の第２の領域３２において複製層に成形されず、かつ／あるいは、複製層の屈折率と０．３以下、特に０．１以下だけ異なる屈折率を有するワニス層を適用することにより光学的に除去されてもよい。
【０１５０】
特に、好ましくは光学的に可変のレリーフ構造を光学的に除去するワニス層は、１つ又は複数の第２の層２２の第２の層からなる。好ましくは、第２の光学的可変構造２２１は、１つ又は複数の第１の領域３１及び１つ又は複数の第２の領域３２の双方に設けられる。
【０１５１】
第１の光学的可変構造を形成する１つ又は複数の第１の層２１及び／又は第２の光学的可変構造２２１を形成する１つ又は複数の第２の層２２は、少なくとも１つの反射層２１２を含んでいてもよい。好ましくは、反射層２１２は１つ又は複数の第１の領域３１に設けられるが、１つ又は複数の第２の領域３２に設けられない。
【０１５２】
さらに、反射層２１２は、不透明、半透明又は透明の反射層として形成され、特に、金属層、部分的な形状を有する金属層、メタリックのラスタエレメントの層、特にラスタドット、ＨＲＩ層、ＬＲＩ層、２つ以上のＨＲＩ層及び／又はＬＲＩ層の組み合わせ、特に２つ以上のＨＩＲ層及び／又はＬＲＩ層を含む一連の層から選択されてもよい。
【０１５３】
好ましくは、第１の光学的可変構造及び／又は第２の光学的可変構造は無彩色の光学的に可変の効果を生じさせる。
【０１５４】
また、第１の光学的可変構造及び／又は第２の光学的可変構造２２１は、ボリュームホログラム及び／又は光学的にアクティブなレリーフ構造を含み、特に、回折格子、ホログラム、コンピュータ生成ホログラム、非対称回折構造、マット構造、特に異方性マット構造、ブレーズド格子、ゼロ次回折構造、フレネル型自由曲面、屈折構造、特にマイクロミラー配列、光屈折又は集光構造、特にマイクロレンズ配列から選択される。
【０１５５】
さらに、第１の光学的可変構造は、第２の光学的可変構造２２１と異なり、特に、第１の光学的可変構造は、１つ又は複数の構造パラメータ、特に、アライメント、格子周期、格子深さ、確率パラメータ、特に粗さの深さ（粗面深度）、好ましくはマット構造の場合の相関長について第２の光学的可変構造２２１と異なり、かつ／あるいは、光学的に可変の構造の異なるクラスに割り当てられてもよい。好ましくは、１つ又は複数の第１の層２１のうち少なくとも１つの第１の層は、第１のカラー層２１３として形成され、かつ／又は、好ましくは、１つ又は複数の第２の層２２のうち少なくとも１つの第２の層は、第２のカラー層２２３として形成されてもよい。
【０１５６】
ワニス層は第２のカラー層２２３又は第２の光学的可変構造２２１の複製層から構成されてもよい。
【０１５７】
さらに、第１のカラー層２１３は、１つ又は複数の第１の領域３１に設けられるが、１つ又は複数の第２の領域３２に設けられなくてもよい。さらに、第２のカラー層２２３は、１つ又は複数の第１の領域３１及び１つ又は複数の第２の領域３２の双方に設けられてもよい。また、第２のカラー層２２３は、１つ又は複数の第２の領域３２に設けられるが、１つ又は複数の第１の領域３１に設けられなくてもよい。
【０１５８】
特に、第１のカラー層２１３及び第２のカラー層２２３は異なる色を有する。
【０１５９】
好ましくは、第１のカラー層２１３及び／又は第２のカラー層２２３は、透明又は半透明層として形成される。
【０１６０】
第１のカラー層２１３及び／又は第２のカラー層２２３は、染料及び／又は顔料、特に光学的に可変の顔料、液晶顔料、干渉層顔料を含む層、特に異なる屈折率を有する２つ以上の層を含む干渉層系、吸収層、スペーサ層及び反射層、液晶材料、特にコレステリック液晶材料を含む層、ボリュームホログラム層、金属層から選択されてもよい。
【０１６１】
さらに、第１のカラー層２１３及び／又は第２のカラー層２２３及び／又は反射層は、互いに見当合わせされて配置されてもよい。
【０１６２】
さらに、１つ又は複数の第１の層２１のうち少なくとも１つの第１の層は、透明又は半透明の複製層からなり、好ましくは全面に亘って形成され、光学的にアクティブなレリーフ構造は、少なくとも複製層の表面に成形され、１つ又は複数の第１の領域３１において、不透明な金属反射層として形成される１つ又は複数の第１の層２１のうち１つの第１の層により覆われ、複製層の表面は１つ又は複数の第２の領域３２において不透明な金属反射層により覆われなくてもよい。
【０１６３】
好ましくは、１つ又は複数の第２の層３１ｂの少なくとも１つの第２の層は、透明又は半透明の複製層からなり、好ましくは全面に亘って形成される。光学的にアクティブなレリーフ構造は、少なくとも複製層の面に成形され、１つ又は複数の第２の領域３２において、反射層として形成される１つ又は複数の第２の層２２の１つの第２の層により覆われる。
【０１６４】
１つ又は複数の第１の層２１のうち少なくとも１つの第１の層は、好ましくは１つ又は複数の第１の領域３１に１つ又は複数の第１の開口部を有し、かつ／又は、少なくとも１つの１つ又は複数の第２の層２２のうち少なくとも１つの第２の層は、好ましくは１つ又は複数の第２の領域３２に１つ又は複数の第２の開口部を有していてもよい。特に、第１の開口部及び／又は第２の開口部は、５０％を超える、好ましくは９０％を超える透過率を有する。第１の開口部の外側における１つ又は複数の第１の層２１のうち少なくとも１つの第１の層は、特に、１０％未満、好ましくは５％未満の透過率を有する。
【０１６５】
さらに、１つ又は複数の第１の開口部及び／又は１つ又は複数の第２の開口部は、第１のラスタライゼーション及び／又は第２のラスタライゼーションとして設けられてもよい。第１のラスタライゼーション及び／又は第２のラスタライゼーションの互いからの間隔、特に、第１のラスタライゼーション及び／又は第２のラスタライゼーションの互いからの平均間隔は、好ましくは３００μｍ以下、特に１５０μｍ以下である。
【０１６６】
さらに、少なくとも１つの第１の光学的可変効果及び少なくとも１つの第２の光学的可変効果が、特に反射光及び／又は透過光の下で表側３ｂ又は裏側３ａから見た観察者によって検出されるように、第１のラスタライゼーションを有する１つ又は複数の第１の領域３１うち少なくとも１つの第１の領域と１つ又は複数の第２の領域のうち少なくとも１つの第２の領域とが重なっていてもよい。
【０１６７】
また、少なくとも１つの第１の光学的可変効果及び少なくとも１つの第２の光学的可変効果が、特に反射光及び／又は透過光の下で表側３ｂ又は裏側３ａから見た観察者によって検出されるように、１つ又は複数の第１の領域３１のうち少なくとも１つの第１の領域と第２のラスタライゼーションを有する１つ又は複数の第２の領域３２のうち少なくとも１つの第２の領域とが重なっていてもよい。
【０１６８】
セキュリティエレメントが傾斜かつ／又は屈曲かつ／又は回転したときに、少なくとも１つの第１の光学的可変効果及び／又は少なくとも１つの第２の光学的可変効果は、好ましくは、一連の色、特に一連の色値及び／又は一連の色明度及び／又は一連の色彩度、並びに／あるいは色の変化、特に、ムーブメント効果、モーフィング効果及び／又はフリップ効果、特にカラーフリップ効果を生じさせる色値の変化及び／又は色明度の変化及び／又は色彩度の変化、並びに／あるいは実質的に飛び出したり戻ったりする立体形状をもたらす。
【０１６９】
図１は、第１の露光マスクとしての第１のカラー層２１３を完全に覆う第２の露光マスクとしての第２のカラー層２２３を示している。
【０１７０】
好ましくは、３つの第１の領域３１及び／又は第２の領域３２は、デザインエレメント４の形態、特に英数字、コード（符号）、特にバーコード、文字、記号、マイクロプリント、イメージ（画像）、ロゴ、エンブレム又はモチーフとしてそれぞれ形状付けられる。特に均一の着色を有する第１のカラー層２１３及び／又は第２のカラー層２２３に替えて、１つ又は複数の異なる色は、好ましくは、あるいは、モチーフ及び／又はイメージとして少なくとも部分的に重なるか又は互いに隣接して配置される。
【０１７１】
さらに、第１のカラー層２１３及び／又は第２のカラー層２２３は少なくとも所定の一方向に向けた色の進行及び／又は色の勾配を有していてもよい。１つ又は複数の色、好ましくは、第１のカラー層２１３及び／又は第２のカラー層２２３の第１の色及び／又は第２の色は、特に色彩度が次第に変化し、かつ／あるいは色相のグラデーションを有する。さらに、第１のカラー層２１３及び／又は第２のカラー層２２３又は少なくとも１つのさらなるカラー層は、不透明から半透明のカラー層として形成されてもよい。
【０１７２】
また、第２のカラー層２２３を省略し、薄膜の干渉層スタックを第２の複製層２２６に適用してもよい。そのような薄膜の干渉層スタックは、好ましくは、少なくとも１つの半透明吸収層、少なくとも１つの透明な誘電体スペーシング層及び少なくとも１つの不透明なミラー層、又は、好ましくは不透明なミラー層に替えて、さらなる半透明吸収層からなる。この場合、そのような薄膜の干渉層スタックの下層平面において生成される色の印象は、特に、透明なカラー層によってではなく、好ましくは干渉によって形成される。さらに、第１のカラー層２１３及び／又は第２のカラー層２２３に替えて、少なくとも１つのボリュームホログラムを導入してもよい。
【０１７３】
第１のカラー層２１３及び／又は第２のカラー層２２３と第１の金属層２１７及び／又は第２の金属層２２７との間における見当、好ましくは完全な見当（見当合わせ）は、好ましくは、洗浄法によって生成することができ、この洗浄法では、好ましくは見当合わせされてその下方に位置する金属層２１７，２２７を洗浄するために、第１のステップにおいて形成されたカラー層２１３，２２３が特にマスクとして機能する。特に、単一層又は複数の層からなる接着層でのコーティングが次いで行われる。好ましくは、任意選択的なさらなる層は、接着促進層及び／又はバリア層及び／又は安定化層及び／又はレベリング層として機能する。これにより、セキュリティ機能部、特に第１のセキュリティ機能部及び／又は第２のセキュリティ機能部は、例えばホットスタンピングにより、保護する基板及び／又はセキュリティ文書に転写される。また、特にコールドスタンピングによるその後の転写のために設計された接着促進層を用いてコーティングを行ってもよい。さらに、用途及び基板材料によっては接着層を省略してもよい。
【０１７４】
図２は、特に、第１のセキュリティ機能部２ａを有するフィルムの断面を示している。好ましくは、セキュリティ機能部２ａは、機能層２０、第１のカラー層２１３、第１の複製層２１６及び第１の金属層２１７からなる。１つ又は複数の第１の層２１は、キャリアプライ１０に適用される。キャリアプライ１０は、好ましくはＰＥＴからなり、４．５μｍ〜１００μｍ、好ましくは１２μｍ〜５０μｍの層厚を有する。第１の層２１の１つの層は、第１のカラー層２１３として形成される。第１のカラー層２１３は、キャリアプライ１０とは反対側となるさらなる第１の層２１の側に適用される。第１の層２１は、３つの第１の領域３１において機能層２０として形成されている。第１の複製層２１６は、キャリアプライ１０とは反対側となる機能層２０及び第１のカラー層２１３の側に適用される。さらに、第１の金属層２１７は、３つの第１の領域３１において、キャリアプライ１０とは反対側となる第１の複製層２１６の側に適用される。
【０１７５】
第１のカラー層２１３は、特に第１の複製層２１６に適用される第１の金属層２１７の正確に見当合わせされた構造化のため、マスク又はマスク層として使用されてもよい。好ましくは、第１の複製層２１６は、第１の光学的可変構造を有する。
【０１７６】
第１のカラー層２１３は、例えば、印刷法により適用されるか、あるいは、フォトリソグラフィー法により染色感光層が露光されてもよい。次いで、感光層は、露光及び／又は露光の強度分布に応じて構造化される。好ましくは、このように構成された染色感光層は、好ましくは、第１のカラー層２１３として機能するか、又は第１のカラー層２１３となる。
【０１７７】
図３はキャリアプライ１０を有するセキュリティエレメント１を示している。例えば機能層３０として形成される第１の層２１はキャリアプライ１０の裏側３ａに適用される。第１の層２１は、キャリアプライ１０とは反対側となる機能層３０の側において３つの第１の領域３１に適用される。第１の層２１は第１のカラー層３１３として形成される。第１の複製層３１６として形成されるさらなる第１の層２１は、キャリアプライ１０とは反対側となる機能層３０の側及びキャリアプライ１０とは反対側となる第１のカラー層３１３の側に適用される。第１の金属層３１７として形成されるさらなる第１の層２１は、キャリアプライ１０とは反対側となる第１の複製層３１６の側において３つの第１の領域３１に適用される。機能層３０、第１のカラー層３１３、第１の複製層３１６及び第１の金属層３１７は、好ましくは第１のセキュリティ機能部を形成する。
【０１７８】
さらに、図３に示したセキュリティエレメント１は、キャリアプライ１０とは反対側となる第１の複製層３１６の側及び第１の金属層３１７の側において、第２のカラー層３２３として形成された第２の層２２を２つの第２の領域３２に有する。第２の複製層３２６は、キャリアプライ１０とは反対側となる第１の複製層３１６の側及び第２のカラー層３２３の側に適用される。キャリアプライ１０とは反対側となる第２の複製層３２６の側には、第２の金属層３２７として形成されたさらなる第２の層が３つの第２の領域３２に設けられている。第２のカラー層３２３、第２の複製層３２６及び第２の金属層３２７は、好ましくは第２のセキュリティ機能部を形成する。１つの第１の領域３１は１つの第２の領域３２に完全に重なる。
【０１７９】
図３は、第１のカラー層３１３に少なくとも部分的に重なる第２のカラー層３２３をさらに示している。さらに、特に、第２のカラー層３２３は、左側の第２の領域３２と右側の第２の領域３２との間にギャップを有する。特に、第１のカラー層３１３は、第１の金属層３１７とともに、第２の金属層３２７のためのマスクとして機能してもよい。セキュリティエレメント１を表側３ｂから見たときに、観察者は、好ましくは、第１の金属層３１７を含む第１の領域３１における第２の金属層３２７を検出することができない。これは、第１の金属層３１７が特に不透明であり、好ましくは、第２の金属層３２７の光学的効果を検出することができないためである。
【０１８０】
図４ａは、キャリアプライ１０を有するセキュリティエレメント１を示している。機能層４０はキャリアプライ１０の裏側３ａに形成される。第１の複製層４１６は、キャリアプライ１０とは反対側となる機能層４０の側に形成されている。第１の金属層４１７は、キャリアプライ１０とは反対側となる第１の複製層４１６の側において、３つの第１の領域３１に形成されている。機能層４０、第１の複製層４１６及び第１の金属層４１７は、好ましくは第１のセキュリティ機能部を形成する。第１のセキュリティ機能部２ａの色は、複製層４１６に成形される構造及び金属層４１７の材料の選択により実質的に決まる。実質的に無彩色に作用する構造、及びアルミニウム又は銀からなる金属層が使用される場合、第１のセキュリティ機能部の色は、好ましくは、メタリックシルバーである。
【０１８１】
図４ａに示したセキュリティエレメント１は、第２の領域３２において、キャリアプライ１０とは反対側となる第１の複製層４１６の側及び第１の金属層４１７の側に第１のカラー層４１３をさらに有する。さらに、セキュリティエレメント１は、キャリアプライ１０とは反対側となる第１の複製層４１６の側及び／又は第１の金属層４１７の側及び／又は第１のカラー層４１３の側に第２の複製層４２６を有する。キャリアプライ１０とは反対側となる第２の複製層４２６の側には、第２の領域３２において、第２の金属層４２７が設けられている。第１のカラー層４１３、第２の複製層４２６及び第２の金属層４２７は第２のセキュリティ機能部２ｂを構成する。
【０１８２】
図４ａに示すセキュリティエレメント１は、第１のカラー層が設けられていない点を除いて、特に、図１のセキュリティエレメントに対応している。好ましくは、反射光の下でセキュリティエレメント１を表側３ｂから見たときに、第１の金属層４１７によって反射した光は、特に、第１の色層によりフィルタリングされない。第１の金属層４１７におけるメタリックの反射の色は、実質的に検出可能であり、反射層として、例えばアルミニウムが使用される場合は銀色として、又は反射層として銅が使用される場合は銅色として検出可能である。本実施例において、例えば、エッチング法、洗浄法、マスク露光又はゼロ・ゼロ脱メタライゼーション法（zero.zero demetallization method）などの方法を第１の金属層に使用すると有利である。好ましくは、これらの方法は、高解像度及び／又は第１の光学的可変効果に対する見当合わせ精度を可能にする。
【０１８３】
図４ｂ〜図４ｄは、セキュリティエレメント１の構造及び第１のセキュリティ機能部２ａ及び第２のセキュリティ機能部２ｂの相互作用を概略的に示している。セキュリティエレメント１は、丸いパッチの形状をしており、その外縁５は破線で示されている。
【０１８４】
図４ｂは、垂直に観察したときの第１のセキュリティ機能部２ａの光学的効果を示している。好ましくは、光学的効果は、黒色で示したメタリックのラインエレメントにおける又はこのラインエレメントに沿った回折ムーブメント効果、第１のセキュリティ機能部２ａの中央近傍に位置する実質的に三次元で投影される、無彩色の金属化された星及び無彩色のマット領域としての数字「５５」からなる。実質的に三次元で投影される、無彩色の金属化された星は、フレネル自由曲面を介して実現される。第１のセキュリティ機能部２ａはカラー層を有しておらず、したがって、実質的にメタリックシルバーに見える。
【０１８５】
図４ｃは、垂直に観察したときの第２のセキュリティ機能部２ｂの光学的効果を示している。好ましくは、光学的効果は、異なる観察角度及び／又は照明角度に応じて水平方向に移動する明度の帯（バンド）から構成されることが好ましく、これは、無彩色の異方性マット構造を介して実現される。破線で中断された旗形状の金属化された領域において、光学的効果を見ることができる。構造体の前方に位置するカラー層４１３及び第２の金属層４２７により、表側３ｂからセキュリティエレメント１を見る観察者にとって、水平に移動する明度の帯は、カラー層４１３の色により単色的に見える。
【０１８６】
また、第２のセキュリティ機能部２ｂは、カラー層及び金属層の替わりに、少なくとも３つの層を含む薄膜構造を有していてもよい。３つの層は、吸収層、透明スペーサ層及び金属ミラー層である。吸収層は、特にクロム層からなり、８ｎｍの層厚を有する。透明スペーサ層は、特に４５０ｎｍの層厚を有しかつ／又はＭｇＦ２からなる少なくとも１つの層からなるか、あるいは、特に５００ｎｍの層厚を有するポリマーワニス層からなる。金属ミラー層は、特に２５ｎｍの層厚を有しかつ／又はアルミニウムからなる少なくとも１つの層からなる。この場合、水平方向に移動する明度の帯は、好ましくは、特に観察角度に応じて異なる色で表れる。例えば、明度の帯は、通常、約２５°で観察すると赤みがかった色合いで現れ、約４０°まで傾斜すると、緑がかった色合いで表れる。
【０１８７】
図４ｄは、垂直に観察したときの特に図４ｂに示した第１のセキュリティ機能部２ａの光学的効果と、特に図４ｃに示した第２のセキュリティ機能部２ｂの光学的効果との組み合わせたものを示している。特に、セキュリティエレメント１の中央におけるメタリックシルバーの星と、カラー層４１３の色で示される背景との完全な見当は、容易に検出可能であり、観察者に容易に伝わる。
【０１８８】
また、任意選択的に、第２のセキュリティ機能部２ｂは、無彩色の異方性マット構造に加えて、コンピュータ生成ホログラムを有する。好ましくは、このコンピュータ生成ホログラムは、第１のセキュリティ機能部２ａの中心に近い、三次元的に投影された無彩色の金属化された星の背後にある第２のセキュリティ機能部２ｂの領域だけに設けられる。本実施例では、この星は、図４ｂと異なり、全面に亘って金属化されていないが、デメタライズ化（非金属化）されたライン又はドットラスタを有し、好ましくは表面比率がデメタライズ化されたライン及び／又はドットの１０％〜２０％である。好ましくは、ラインラスタ及び／又はドットラスタは、人間の目の解像度の限界以下の周期性を有している。好ましくは、この周期性は、３００μｍ以下、さらに好ましくは１５０μｍ以下である。特に、点光源で照らされたときに、アイコン、モチーフ及び／又は記号、例えば、数字、文字及び／又は単位記号及び／又はイメージ、例えばバーコードが明確にかつはっきりと表われるように、コンピュータ生成ホログラムが計算される。他方、非指向性光源で照らされたときに、表されるアイコン及び／又は記号及び／又はイメージは、非常にぼやけて見え、したがって人間の目ではほとんど知覚できない。
【０１８９】
本実施例において、そのようなセキュリティエレメント１は、好ましくは、非指向性光源で照らされたとき、観察者にとって図４ｄに示すセキュリティエレメント１とほぼ同様に見える。他方、点光源、例えばスマートフォンのスポットライトなどで照らされると、コンピュータ生成ホログラムのアイコン及び／又は記号及び／又はイメージは、特に、星の上に浮かんで見える。アイコン及び／又は記号及び／又はイメージは、カラー層４１３で表示され、他方、星は、好ましくは、メタリックシルバーとして検出可能である。
【０１９０】
図４ｅは、点光源で照明され、垂直に観察したときの、第１のセキュリティ機能部２ａ及び第２のセキュリティ機能部２ｂの光学的効果を組み合わせた効果を示している。本実施例におけるコンピュータ生成ホログラムは、文字「Ｋ」を示し、好ましくは、第１のセキュリティ機能部２ａの中心近傍に位置する実質的に三次元的に投影され、無彩色で金属化された星と重なる。
【０１９１】
さらに、セキュリティエレメント１、特に本発明によるセキュリティエレメントは、好ましくはアルミニウムから形成され、高解像度の部分的なメタライゼーション４１７ａからなる第１のセキュリティ機能部２ａを有していてもよい。そのような第１のセキュリティ機能部２ａは、好ましくは、光学的に可変の効果として、無彩色の半径方向のムーブメント効果を有する。特に、部分的なメタライゼーション４１７ａは、紫色のグレースケールイメージが表われるように選択される。メタリックでかつ／又は金属化されたピクセル４１８ｆから構成されるグレースケールイメージは、好ましくは、少なくとも２５０ｄｐｉ、さらに好ましくは少なくとも５００ｄｐｉ、さらにより好ましくは１０００ｄｐｉ、特に好ましくは少なくとも１５００ｄｐｉの解像度を有する。図４ｆは、これを特にセキュリティ機能部２ａとして概略的に示している。この図では、メタリックでかつ／又は金属化された領域４１８ｆは黒で示され、メタリックでなくかつ／又は非金属化されていない領域４１７ｆは白で示されている。観察者に対して、第２のセキュリティ機能部は、好ましくは、第１のセキュリティ機能部２ａの背後に位置し、特に例えば、青色に染色されたカラー層、及び、好ましくはカラー層の背後に位置する部分的なメタライゼーション、特に好ましくはアルミニウムからなる部分的なメタライゼーション４１７ａ、特に観察者に対してカラー層の前方又は背後に位置し、好ましくはアルミニウムからなる部分的なメタライゼーション４１７ａからなる。図４ｇに概略的に示すように、セキュリティ機能部２ａの部分的なメタライゼーション４１７ａは、特にメタリックでかつ／又は金属化された領域４１８ｆを含み、好ましくは紫色の花の形状を有する。例えば、第２のセキュリティ機能部の光学的に可変の効果は、約３００ｎｍ〜３５０ｎｍの格子周期を有する高周波の線形格子から構成されたエンドレスのパターンとすることができ、かつ／又は、約３００ｎｍ〜３５０ｎｍの格子周期を有する高周波の線形格子により生成され得る。通常観察すると、好ましくは青紫色が表れる。例えば水色から濃い青色への色進行は、好ましくは、青のカラー層の上方における高解像度の部分的なメタライゼーション４１７ａにより生成される。特に、半径方向のポンピング効果が紫色で表れる。セキュリティ機能部が水平方向の軸を中心に大きく傾いている場合、好ましくはエンドレスのパターン、特に複数の小さな蜂が、例えばアルミニウム層のメタリックでなくかつ／又は金属化されていない領域４１８ｆにおいて、好ましくは青のカラー層のフィルター効果により変更される回折色で表われる。
【０１９２】
図５は、特に前記方法の第１のステージにおけるセキュリティエレメント１を示している。セキュリティエレメント１は、キャリアプライ１０、キャリアプライ１０の裏側３ａに形成された機能層５０、及びキャリアプライ１０とは反対側となる機能層５０の側に形成された第１の複製層５１６を有する。
【０１９３】
さらに、図５は５つの第１の領域３１を示している。当該領域において、第１の金属層５１７は、キャリアプライ１０とは反対側となる第１の複製層５１６の側に形成される。
【０１９４】
好ましくは、前記方法の第１のステージは、第１の部分的なメタライゼーションとしての第１の金属層５１７の形成を意味する。
【０１９５】
図６は、セキュリティエレメント１を示している。このセキュリティエレメント１は、前記方法の第２のステージにおけるセキュリティエレメント１である点を除き、図５のセキュリティエレメント１に対応している。特に、前記方法の第２のステージにおいて、第１のカラー層６１３は、キャリアプライ１０とは反対側となる第１の複製層６１６の側及び第１の金属層６１７の側において第２の領域３２に適用され、例えば、グラビア印刷により印刷される。
【０１９６】
図７は、セキュリティエレメント１を示している。このセキュリティエレメント１は、好ましくは、前記方法の第３のステージにおけるセキュリティエレメント１である点を除いて図６のセキュリティエレメント１に対応している。特に、前記方法の第３のステージにおいて、第１のカラー層７１３は、第１の金属層７１７の形成が好ましくは第１の領域３１及び第２の領域３２に制限されるように、第１の金属層７１７をトリミングするため、エッチングレジストとして使用される。
【０１９７】
第１のカラー層及び／又は第２のカラー層は、エッチングレジストの機能を有していてもよい。特に、第１のステップにおいて生成された部分的なメタライゼーションあるいは第１の金属層７１７及び／又は第２の金属層は、付加的なエッチングステップにおいて、カラー層の領域あるいは第１のカラー層７１３及び／又は第２のカラー層の領域にトリミングされる。
【０１９８】
図８は、セキュリティ機能部が第２の領域３２において第１のカラー層８１３、第２のカラー層８２３及び／又は第２の金属層８２７を有し、４つの第１の領域３１において第１の金属層８１７を有する点を除き、図７に示したセキュリティ機能部と同じ層構造を有するセキュリティエレメント１を示している。
【０１９９】
特に、第１のカラー層８１３及び／又は第２のカラー層８２３は、好ましくは、少なくとも第２の領域３２の外側境界により制限される第１の金属層８１７及び／又は第２の金属層８２７の部分的なメタライゼーションの外形状を定める。付加的な方法により、第１のカラー層８１３を含む第２の領域３２内に部分的なメタライゼーションの微細構造を形成してもよい。したがって、例えば、フォトリソグラフィー法又は印刷法、エッチングレジスト法、バリアベース法、洗浄法及び／又はリフトオフ法及び／又はアルカリ液印刷（ｌｙｅ  ｐｒｉｎｔｉｎｇ）法を用いてもよい。
【０２００】
表側３ｂから観察した場合、観察者は、好ましくは、第１の金属層８１７を含む第１の領域３１における第１の色並びに特に第１の領域３１の外側で第２の領域３２における第１及び第２の色のオーバレイにより生じる少なくとも１つの混合色を検出する。本実施例において、第２のカラー層８２３は、好ましくは、第２の色を有する。
【０２０１】
さらに、コード及び／又は個別のマーキングをレーザによりセキュリティエレメント１の１つ又は複数の層に導入し、キャリアプライ１０に面する第１の金属層８１７はレーザにより選択的に除去してもよい。
【０２０２】
代替例として又は付加的に、コード及び／又は個別のマーキングをレーザによりセキュリティエレメント１の１つ又は複数の層に導入し、第１のカラー層及び／又は第２のカラー層はレーザにより選択的に除去してもよい。
【０２０３】
図９は、裏側３ａに機能層９０が適用されるキャリアプライ１０を含むセキュリティエレメント１を示している。キャリアプライ１０とは反対側となる機能層９０の側において、３つの第１の領域に第１のカラー層９１３が設けられている。さらに、キャリアプライ１０とは反対側となる機能層９０の側及び第１のカラー層９１３の側には第１の複製層９１６が設けられている。キャリアプライ１０とは反対側となる第１の複製層９１６の側において、第１の金属層９１７が３つの第１の領域３１に適用され、第２のカラー層９２３が２つの第２の領域３２に適用される。キャリアプライ１０とは反対側となる第１の金属層９１７の側において、３つの第１の領域３１に第３のカラー層９３３が設けられている。
【０２０４】
特に、第１の金属層９１７は、第１のカラー層９１３及び第３のカラー層９３３に対して正確に見当合わせされて配置される。
【０２０５】
第１のステップにおいて、第１のカラー層９１３をパターンとして、したがって特に部分的に印刷してもよい。第２のステップにおいて、好ましくは、第１の複製層９１６が適用され、好ましくは、第３のステップにおいて、光学的に可変の構造が形成される。好ましくは、第１の金属層９１７は、第４のステップにおいて、全面に亘って第１の複製層９１６に適用される。第５のステップにおいて、特に、第１のカラー層９１３は、所定の領域における第１の金属層９１７の構造化のため、ポジ型フォトレジストを含むマスクとして用いられる。第５のステップの後、金属層９１７は好ましくは領域３１だけに存在する。
【０２０６】
さらに、第６のステップにおいて、染色されたネガ型フォトレジストの形態で第２のカラー層９２３を適用してもよい。第１の金属層９１７は、特にマスクとして使用される。第７のステップにおいて、好ましくは図９セキュリティエレメント１を得るため、第３のカラー層９３３は、好ましくは、染色されたポジ型フォトレジストとして適用され、第１の金属層９１７はマスクとして用いられる。
【０２０７】
さらに、第１のフォトリソグラフィー法のステップ、特に第５のステップにおいて、染色されたポジ型フォトレジストを用いてもよい。これにより、第３のフォトリソグラフィー法のステップ、特に第７のステップを排除することができる。
【０２０８】
図１０は、セキュリティエレメント１を示している。このセキュリティエレメント１は、キャリアプライ１０とは反対側となる第１の複製層１０１６、第２のカラー層１０２３及び第３のカラー層１０３３の側において、第２の複製層１０２６が全面に亘って設けられ、金属層１０２７が第２の領域３２に部分的に設けられている点を除いて図９のセキュリティエレメント１に対応している。第４のカラー層１０４３は、キャリアプライ１０とは反対側となる第２の金属層１０２７の側において、第２の領域３２に適用される。
【０２０９】
マスクとして第１の金属層１０１７を使用し、正確に見当合わせをして第２の金属層１０２７を構造化してもよく、例えば、特に第４のカラー層１０４３としてセキュリティエレメント１の層構造に残存する染色されたネガ型レジストにより特に所定の領域において、第２の金属層１０２７を構造化してもよい。
【０２１０】
図１０に示したセキュリティエレメント１において、第１及び第２のカラー層１０１３，１０２３の２つの同一又は異なる色に対して正確に見当合わせされた２つの異なる光学的に可変の効果は、好ましくは、図１１に示すように、セキュリティエレメント１の表側３ｂからの観察者によって、組み合わされた光学的印象として検出可能であり、光学的に可変の効果に対して正確に見当合わせされた２つの同一又は異なる色の第３及び第４のカラー層１０３３，１０４３又は前記色は、図１２に示すように、セキュリティエレメント１の裏側３ａから検出可能である。
【０２１１】
好ましくは、そのようなセキュリティエレメント１は、ウィンドウ領域において特に有利である。
【０２１２】
図１３は、キャリアプライ１０と、キャリアプライ１０の裏側３ａに設けられたさらなる層とを有するセキュリティエレメント１を示している。さらなる層として、機能層１３０、第１の複製層１３１６、第２の領域３２における第１のカラー層１３１３、第１の領域３１及び第２の領域３２における第１の金属層１３１７、ネガ型フォトレジスト１３１８が順に設けられている。
【０２１３】
第１の複製層１３１６の後に第１のカラー層１３１３を適用してもよい。その結果、特に、第１のカラー層１３１３が第１の複製層１３１６と重なる領域において複製が消滅する。さらなるステップにおいて、第１の金属層１３１７及びネガ型フォトレジスト１３１８を第１の複製層１３１６及び第１のカラー層１３１３に適用してもよい。そのようなフォトリソグラフィー構造化、特に所定の領域における構造化では、好ましくは外部マスクが使用され、かつ／あるいは、第１のカラー層１３１３がマスクとして使用され、かつ／あるいは、複製における特定の構造がマスクとして使用される。さらに、第１のカラー層１３１３をマスクとして使用してもよい。特にネガ型フォトレジスト１３１８及び保護されていない第１の金属層１３１７の除去後、図１４に示すように、第１の金属層１３１７が、第１の領域３１において有色で透明のギャップを有して、部分的なメタライゼーションとして生成される。さらに、図１５に示すように、第２の複製層１３２６を第１の金属層１３１７及び／又は第１の複製層１３１６に適用しかつ／又は構造化してもよいし、図１６に示すように、第２の金属層１３２７を第２の複製層１３２６に適用しかつ／又は蒸着してもよい。
【０２１４】
図１７は、キャリアプライ１０と、キャリアプライ１０の裏側３ａに設けられたさらなる層とを有するセキュリティエレメント１を示している。さらなる層として、機能層１７０、第１の複製層１７１６、第２の領域における第１のカラー層１７１３、第１の領域における第１の金属層１７１７、第２の複製ワニス層１７２６、第２の金属層１７２７が順に設けられている。
【０２１５】
さらに、図１７は、好ましくは第１の光学的可変構造の光学的効果を除去するために、第１のカラー層１７１３が、第２の複製層１７２６の第２の光学的可変構造１７２１の領域に適用及び／又は導入されていることを示している。さらに、特に好ましくは、少なくとも部分的に第１のカラー層１７１３が除去されかつ／又は第１のカラー層１７１３に重なるように、第２の光学的可変構造１７２１が第２の複製層１７２６に導入される。
【０２１６】
図１８はセキュリティエレメント１を示している。このセキュリティエレメント１は、第１のカラー層１８１３が特に好ましくは第１の光学的可変構造１８１１を有していない第１の複製層１８１６の領域に適用されている点を除いて、図１７に示したセキュリティエレメント１に対応している。第１のカラー層１８１３はエッジ領域において第１の光学的可変構造と重なってもよい。好ましくは、第２の複製層１８２６は、第２の光学的可変構造１８２１が少なくとも部分的に第１のカラー層１８１３と重なるように、第２の光学的可変構造１８２１を有する。
【０２１７】
図１７に示したセキュリティエレメントと図１８に示したセキュリティ機能部とを組み合わせてもよい。
【０２１８】
図１９は、表側３ｂから見たセキュリティエレメント１を示している。第１の領域３１において、第１のカラー層１８１３は特に観察者により検出可能であり、第２の領域３２において、第１の金属層１８１７は特に観察者により検出可能である。
【０２１９】
図２０は、裏側３ａから見たセキュリティエレメント１を示している。第１の領域３１において、第２の金属層１８２７は特に観察者により検出可能である。
【０２２０】
図２１は、キャリアプライ１０と、キャリアプライ１０の裏側３ａに設けられたさらなる層とを有するセキュリティエレメント１を示している。さらなる層として、機能層２１０、第１の複製層２１１６、第２の領域３２における第１の金属層２１１７、第２の領域３２における第１のカラー層２１１３、第２の複製ワニス層２１２６、第１の領域３１における第２の金属層２１２７及び第１の領域３１における第２のカラー層２１２３が順に設けられている。
【０２２１】
観察者が図２１の構造を有するセキュリティエレメント１を見たときに、裏側３ａから第１の光学的可変効果及び／又は第２の光学的可変効果を検出可能であることが好ましい。そのようなセキュリティエレメントを、例えば、セキュリティエレメントが特にポリカーボネートフィルムに適用されるＰＣＩ製品（ポリカーボネートカードにおけるインターナルキネグラム（登録商標））に使用してもよい。好ましくは、観察者が外側からセキュリティエレメント１の裏側３ａを検出可能であるように、セキュリティエレメントを有するポリカーボネートフィルムが埋め込まれる。
【０２２２】
さらに、第１の金属層２１１７及び／又は第２の金属層２１２７を特に所定の領域において構造化してもよい。例えば、ネガ型レジスト又はポジ型レジストなどのフォトパターン化可能で染色可能なワニスは、高解像度のために特に好適である。
【０２２３】
第１のカラー層２１１３及び／又は第２のカラー層２１２３はエッチングレジストの機能を有していてもよい。特に、第１のステップにおいて形成された部分的なメタライゼーション又は第１の金属層２１１７及び／又は第２の金属層２１２７は、付加的なエッチングステップにおいて、カラー層又は第１のカラー層２１１３及び／又は第２のカラー層２１２３の領域にトリミングされる。
【０２２４】
図２２は、セキュリティエレメント１を示している。このセキュリティエレメント１は、第２の金属層２２２７が３つの異なる領域に配置されている点を除いて、図１に示したセキュリティエレメント１に対応している。これらの領域は、第２の領域３２及び第１の領域３１に少なくとも部分的に重なっている。
【０２２５】
好ましくは、第２の金属層２２２７は、第２の部分的メタライゼーションとして構成される。金属層を有さず、カラー層を有する領域は、好ましくは、キャリアプライ１０が延在する平面に垂直に見たときに検出可能である。本実施例において、層構造は、好ましくは、少なくとも部分的に透明である。観察者は、特に表側３ｂ又は裏側３ａから、第１及び／又は第２のセキュリティ機能部を通して基板を検出可能である。好ましくは、表側から観察したときに、キャリアプライ１０は、第１及び／又は第２のセキュリティ機能部の領域において、第２のカラー層２２２３の光学的効果により着色されて見える。好ましくは、同様のことが、セキュリティ機能部が適用される基板又は文書にも当てはまる。
【０２２６】
図２３は、セキュリティエレメント１を示しており、このセキュリティエレメント１は、第２のカラー層２３２３が第２の領域３２に形成されている点を除いて、図２２に示したセキュリティエレメント１に対応している。
【０２２７】
構造化、特に所定の領域における第１の金属層２３１７及び／又は第２の金属層２３２７の構造化のために、第１のカラー層２３１３及び／又は第２のカラー層２３２３はマスクとして用いてもよい。
【０２２８】
観察者は裏側３ａから第１及び／又は第２のセキュリティエレメントを通してキャリアプライ１０を検出することができる。図２２又は図９に示したセキュリティエレメント１と異なり、キャリアプライ１０は、好ましくは、第２のカラー層２３２３により生じる色の印象なしに検出可能である。同様のことが転写後の基板又は文書にも当てはまる。
【０２２９】
図２４は、セキュリティエレメント１の上面図である。セキュリティエレメント１は、ラインラスタの形態で形状付けられた第１のカラー層２４１３を有する。第１の金属層は、好ましくは、第１のカラー層２４１３に対して正確に位置合わせされて構造化される。さらに、セキュリティエレメント１は、第２のラインラスタの形態で形状付けられた第２のカラー層２４２３を有する。第２の金属層は、好ましくは、第１の金属層が存在しない領域において正確に見当合わせされて構造化される。好ましくは、個々のラインが人間の目により解像されないように、ラインラスタが選択される。ラスタの間隔は、特に３００μｍ未満、好ましくは１５０μｍ未満である。微細なラスタライゼーションの場合、フォトリソグラフィー法は、非常に高い解像度を実現することができるため、特に有利である。したがって、第１の色は、例えば、マスク露出によりネガ型フォトレジストから高解像度で構造化されるとともに、さらなる方法ステップにおけるさらなる金属層の正確に見当合わせされた構造化のためのマスクとして機能する。
【０２３０】
観察者は、第１のカラー層２４１３及び／又は第１の金属層に関して２５％のセキュリティエレメント１の表面被覆率を検出することができ、かつ／あるいは、第２のカラー層２４２３及び／又は第２の金属層に関して２５％のセキュリティエレメント１の表面被覆率を検出することができ、かつ／あるいは、透明であり、カラー層及び金属層を有していないセキュリティエレメント１の５０％の表面比率を検出することができる。
【０２３１】
さらに、ラインラスタについて以下の値が得られる。特に、表面被覆率は、セキュリティ機能部の表側から観察者が検出する割合に関する。
【表１】
2021514485.tif 000003
【０２３２】
本実施例における変数ｂは、好ましくは各々のラインラスタの幅を示し、本実施例における変数ｄは、好ましくはラインラスタの周期を示している。周期ｄが人間の目の通常の解像度制限を大幅に下回っている場合、特に人間の目ではラインラスタを認識することができない。特に３００μｍより小さく、好ましくは１５０μｍより小さい周期ｄを選択することが有利であることが分かっている。特に、ラインラスタに替えて、ドットラスタ及び／又は他のラスタの形態がラスタエレメントに使用される。
【０２３３】
図２５は、図２６，２７に示したセキュリティエレメント１の断面を示している。第１のカラー層２５１３を伴う第１の金属層２５１７及び第２のカラー層２５２３を伴う第２の金属層２５２７は、ラインラスタとしてそれぞれ形状付けられている。染色されたエッチングレジストを第２のカラー層２５２３に用いてもよい。
【０２３４】
図２６，２７は、図２５のセキュリティエレメント１を、キャリアプライ１０を通して表側３ｂ及び裏側３ａからそれぞれ見た図である。
【０２３５】
さらに、第１の金属層２５１７は、好ましくは第１のカラー層２５１３と見当合わせされて配置され、第２の金属層２５２７は、好ましくは第２のカラー層２５２３と見当合わせされて配置される。特に、金属層２５１７，２５２７は、観察時にカラー層の影響を受けない場合、銀色のように見える。
【０２３６】
さらに、ラスタラインの幅及び／又は異なる形状のラスタエレメントの大きさは、特に透過光の下で観察したときに、光学的な情報の付加的な項目を生じさせるため、所定の機能に応じて異なるものであってもよい。
【０２３７】
また、第２のカラー層を広範囲に適用してもよく、特に、透明な表面比率は検出されない。マスク露出法又はいわゆるゼロ・ゼロ脱メタライゼーション法は、好ましくはラスタライゼーションの高解像度を可能にし、ゼロ・ゼロ法の場合、特に光学的に可変の構造と金属層との間にゼロ公差を有する正確な見当精度を可能にし、好ましくは、微細構造化、特に第１のカラー層２５１３、好ましくはカラー層を含まない金属層の所定の領域における微細構造化のために使用される。特に感光層を介してカラー層を高解像度で、好ましくは所定の領域においてカラー層を構造化するため、マスク露出法を用いてもよい。
【０２３８】
図２８は、表側３ａから見たセキュリティエレメント１の上面図を示している。特に、第１のカラー層２８１３は、正確に見当合わせされて第１の金属層によって裏打ちされ、好ましくは、セキュリティエレメント１を傾けたときに第１の光学的可変効果、例えば、明度の変化を示し、かつ／又は回折効果を示す。第２のカラー層２８２３は、第１のカラー層２８１３によって覆われていない領域に形成されている。特に、第２のカラー層２８２３は、正確に見当合わせされた第２の金属層によって裏打ちされている。好ましくは、第１の光学的に可変の効果は、第１のカラー層２８１３及び第１の金属層を含む文字「ＵＴＯ」及び「５０」の領域において観察者により検出可能である。
【０２３９】
図２９は、図２８のセキュリティエレメント１に仮想断面線を追加して示している。図３０は、仮想断面線６の位置で仮想断面線６に沿ったセキュリティエレメントの断面を示している。図３０のセキュリティエレメント１は、図１に示したセキュリティエレメントの構造と実質的に対応している。
【０２４０】
図３０は、キャリアプライ１０と、キャリアプライ１０の裏側３ａに形成されたさらなる層とを有するセキュリティエレメント１を示している。さらなる層として、機能層３００、第１の領域３１における第１のカラー層３０１３、第１の複製層３０１６、第１の領域３１における第１の金属層３０１７、第２の領域３２における第２のカラー層３０２３、第２の複製層３０２６、第２の領域３２及び第１の領域３１における第２の金属層３０２７が順に設けられている。
【０２４１】
第１の複製層３０１６は第１のカラー層３０１３より厚くてもよい。特に、第１の複製層３０１６は、第１のカラー層３０１３を覆うとともに、高さの違いを均等化する。さらに、第２の複製層３０２６が高さの違いを隠すとともに、好ましくは、第１の金属層３０１７及び第２のカラー層３０２３における層の複合材料を水平にしてもよい。好ましくは、第２の金属層３０２７は、第１のカラー層３０１３及び／又は第２のカラー層３０２３及び／又は第１の金属層３０１７と見当合わせされて第２のカラー層３０２３に配置される。任意選択的な補償層３００ａを用いて第２の複製層３０２６と第２の金属層３０２７との間の高さの差を埋めてもよい。
【０２４２】
好ましくは、キャリアプライは、４．５μｍ〜１２５μｍ、好ましくは１２μｍ〜５０μｍ、さらに好ましくは１６μｍ〜２３μｍの層厚を有する透明なプラスチックフィルムである。キャリアプライ１０は、光を透過する材料、例えば、ＡＢＳ（＝アクリロニトリルブタジエンスチレン）、ＰＰ（ポリプロピレン）、ＰＥＮ（ポリエチレンナフタレート）、ＰＣ（ポリカーボネート）、ＰＥ（ポリエチレン）、好ましくはＰＥＴ（ポリエステル、ポリエチレンテレフタレート）から形成された機械的及び熱的に安定したフィルムとして形成される。特に、キャリアプライ１０は、一軸又は二軸に延伸している。さらに、また、キャリアプライは、１つの層だけでなく、複数の層から構成されてもよい。したがって、例えば、キャリアプライは、プラスチックキャリア、例えば前述のプラスチックフィルムに加えて、例えば、多層体がホットスタンピングフィルム又はコールドスタンピングフィルムとして使用されるときに、既存の層構造の補償層又は接着層まで機能層をプラスチックフィルムから剥離することが可能な剥離層を有していてもよい。特に、例えばラベルフィルムの場合など、好ましくはさらなるセキュリティ機能部を形成するため、剥離層が部分的に設けられる。好ましくは、部分的な剥離層は、基板、例えば文書などから剥離される場合、セキュリティエレメントの破損をもたらす。
【０２４３】
好ましくは、機能層は剥離層を有していてもよい。この剥離層は、例えば、ホットメルト材料からなり、特に、キャリアプライ１０とは反対側となる剥離層の側に設けられた多層体の他の層からキャリアプライ１０をより容易に剥離させる。これは、多層体がホットスタンピング法、コールドスタンピング法又はＩＭＤ法（ＩＭＤ＝In-Mold Decoration）などにより転写プライとして形成される場合に特に有利である。
【０２４４】
さらに、特に、多層体が転写フィルムとして使用される場合、機能層が、剥離層に加えて、少なくとも１つの保護層、例えば保護ワニス層を有する場合に効果的である。多層体が基板に接合され、好ましくはキャリアプライ１０の反対側となる剥離層の側に配置された多層体の層からキャリアプライ１０が剥離された後、保護層は、好ましくは、下方に設けられた層を摩耗、損傷、化学的な攻撃などから保護する。特に、キャリアフィルムを除去した後の最上位層は、好ましくは熱転写法、インクジェット及び／又はオフセット印刷法による、例えば、オーバーラミネーションの場合の接着性又は印刷性の確保などのさらなる機能を有する。さらに、特に、機能層は、隣接する層に対する接着性又は隣接する層間の接着性を向上させるプライを含む。
【０２４５】
特に、第１の透明で有色のワニス層は、個々の部分的な領域において機能層に印刷される。本明細書において、好ましくは、透明とは、ワニス層が、好ましくは、可視波長範囲の放射線に対して少なくとも部分的に透明であることを意味する。本明細書において、好ましくは、有色とは、ワニス層が、特に十分な日光の下で目に見える色の印象を示すことを意味する。
【０２４６】
好ましくは、第１のワニス層で印刷された機能層の領域及び機能層の印刷されていない領域の双方は、好ましくは、装飾プライのレリーフ構造、つまり、印刷されている領域及び印刷されていない領域における異なる高さを少なくとも部分的に均等化する第１の複製層により覆われる。特に、複製層は、レリーフ構造を完全に又は部分的に有する。好ましくは、薄い金属層は、キャリアプライの平面に対して垂直に見たときに第１の有色ワニス層と一致するように見当合わせされて第１の複製層上に設けられる。
【０２４７】
好ましくは、第２の透明で有色のワニス層は、第１の金属層における個々の部分的な領域及び金属層によって覆われていない第１の複製層の領域に印刷される。第２の有色ワニス層が印刷されている領域及び印刷されていない領域、好ましくは第１の複製層及び／又は第１の金属層は、装飾プライのレリーフ構造、つまり、印刷された領域及び印刷されていない領域における異なる高さを好ましくは均等化する第２の複製層により覆われる。ワニスの化学的性質、適用量及び適用条件に応じて、部分的な均等化だけが行われることが好ましい。しかし、これは、特に特徴部の実現にとって決定的なものではない。好ましくは、複製層は、レリーフ構造を完全に又は部分的に有する。好ましくは、第２の薄い金属層は、キャリアプライの平面に対して垂直に見たときに、第１及び第２のワニス層と一致するように見当合わせされ、したがって特に第１の金属層と見当合わせされて第２の複製層上に設けられる。
【０２４８】
第２の金属層により覆われた第２の複製層の領域及び第２の複製層の覆われていない領域の双方は、好ましくは、特に所定の領域に設けられたレリーフ構造及び金属層により生じる高さの違いを均等化するか又は高さの違いを覆いかつこれを満たす補償層により覆われる。好ましくは、多層体は、キャリアプライとは反対側となる補償層の側に、略平坦で実質的に構造化されていない面を有する。特に、補償層の厚さは、このように変化する。好ましくは、補償層は、バリア層又は接着層として、例えば、隣接する層に対する接着性の向上、化学的及び／又は物理的攻撃に対する保護機能などのさらなる機能的な役割を実現する。
【０２４９】
補償層が第２の複製層と同様の屈折率を有する場合、及び／又は、屈折率の差が約０．３未満である場合、特に、第２の金属層により覆われておらず、補償層に直接隣接する、第２の複製層におけるレリーフ構造の領域は、好ましくは、光学的に除去される。これは、複製層と補償層との間における光学的に認識可能な層の境界が、好ましくは、２つの層の同様の屈折率によりそこに存在しないためである。
【０２５０】
好ましくは、多層体は、接着層によって基材上に配置される転写フィルム、例えばホットスタンピングフィルムの一部である。好ましくは、補償層は、接着層、例えばホットメルト接着剤として設計されるか、あるいは、接着層は、キャリアプライの反対側となる補償層の側に取り付けられる。好ましくは、接着層は、熱作用で溶融し、多層体を基材表面に接合するホットメルト接着剤である。
【０２５１】
ラミネートフィルムとして多層体を用いる場合、すなわち、多層体の層からキャリアプライを剥離するための剥離層を設けない場合、付加的にあるいは接着層の替わりの層として、さらなるキャリアプライが、第１のキャリアプライの反対側となる補償層の側に設けられることが好ましい。好ましくは、外側に２つのキャリアプライを有し、内側に多層体の層を有するこの積層体は、例えば、さらなる用途のために、例えばポリカーボネート（ＰＣ）などのカード複合体に積層される。このため、キャリアプライが、積層体、例えばＰＣに隣接したカード複合体の層と同一の材料からなる場合に有利である。
【０２５２】
図３１，３２は、特に非対称構造に基づいたいわゆる回折透かしを有するセキュリティエレメント１を示している。０．５μｍ〜１０μｍの格子周期を有するブレーズド格子は、通常、非対称構造として使用される。好ましくは、レタリング及び背景に略同一のブレーズド格子が使用される。相対する２つの格子の方向だけが約１８０°回転される。セキュリティエレメント１が延在する平面においてセキュリティエレメント１を０°（図３１参照）から１８０°（図３２参照）回転させたときに、コントラストの変化が生じてもよい。
【０２５３】
背景３１１３及びレタリング３１２３は、例えば赤や緑などのそれぞれの色により正確に見当合わせされて補完される。特に、さらなる光学的効果が生じる。
【０２５４】
例えば、第１の観察（図３１）の場合、薄緑色の背景３１１３に対する濃赤色のレタリング３１２３が検出可能であり、１８０°回転させると、濃緑色の背景に対する薄赤色のレタリングが特に検出可能となる（図３２）。
【０２５５】
図３３は、図３１，３２に示したセキュリティエレメント１の断面を示している。特に、このセキュリティエレメントの層構造は、図１のセキュリティエレメントの層構造に対応している。図３１及び図３２に示す効果は、正面側３ｂから観察した場合に生じる。前述のような効果を生じさせるため、第１の非対称構造は領域３１に成形され、これに対して約１８０°回転させた構造が領域３２に設けられる。
【０２５６】
図３４は、特に二次元ラスタの形状を有し、４ｍｍ×４ｍｍの大きさを有する正方形のフィールドを含むセキュリティエレメント又はセキュリティエレメントの一部を示している。ラスタエレメント３４１１ｃ又は３４２１ｃの大きさは、例えば、５０μｍ×５０μｍ又は１００μｍ×１００μｍである。ラスタエレメント３４１１ｃ又は３４２１ｃは、セキュリティエレメント１の１つの縁部に対して＋４５°及び−４５°傾斜した、向きが異なる異方性散乱マット構造をそれぞれ有する。双方の構造３４１１ｃ，３４２１ｃは、各々の場合において、正確に見当合わせされた緑及び赤の色を有してもよい。特に、セキュリティエレメント１の層構造は、図１のセキュリティエレメントの断面に対応している。
【０２５７】
セキュリティエレメント１の観察者は、セキュリティエレメント１が一方の側に傾いているとき、好ましくは、正方形のフィールドを第１の緑色で認識し、セキュリティエレメント１が他方の側に傾いているとき、正方形のフィールドは特に赤色を示す。
【０２５８】
また、異なる方向に向けて異方的に散乱するマット構造の替わりに、例えば１００本／ｍｍ、１０００ｎｍの構造深さを有する非対称で無彩色の構造又は格子構造によって同様の光学的効果を生じさせてもよい。
【０２５９】
さらに、２つの等方性散乱マット構造を有することが好ましい。当該マット構造は、好ましくは、特に異なる粗さの深さ（粗面深度）及び／又は異なる相関長さ、並びに／あるいは構造深さ及び／又はプロファイル形状を有する２つの格子構造に起因する異なる散乱特性を有して回転不変に散乱する。さらなる可能性は、異なる放射角を有する２つの無彩色で白色に反射するコンピュータ生成ホログラムを使用することである。使用される構造に応じて、特に使用する周期、構造深さ及び輪郭形状に応じて、好ましくは、異なる角度範囲で、好ましくは回転及び／又は傾斜の場合に色の反転が生じる。
【０２６０】
５０μｍ×５０μｍでの二次元のラスタライゼーションの個々のグリッドは、人間の目の解像度の限度を大幅に下回っていることが好ましい。特に正方形のフィールドは、観察者にとって均一に見える。
【０２６１】
好ましくは、２つの色の表面被覆率は局所的に０％〜１００％の間で変変動する。したがって、例えば、第１の色の表面被覆率は、縁部から中央に向けて８０％〜２０％減少し、他方、第２の色の表面被覆率は、２０％〜８０％増加する。
【０２６２】
例えば、特に一次元ラスタ、二次元ラスタ、振幅変調及び／又は周波数変調として印刷技術において周知のように、ラスタのデザインには多くの異なる可能性がある。また、ラスタは、例えばセキュリティ印刷において知られているように、特に幅変調を有するラインラスタ及び／又は芸術的なスクリーニングとして、下部構造に設けられていてもよい。
【０２６３】
また、動的なムーブメント効果は重なっていてもよい。本実施例では、第１の複写は、好ましくは、特徴部が左から右に移動するときに、観察者に対して好ましくは中心から縁部に移動する２つの棒状の光（ライトバー）を生じさせる異方性散乱構造を含む構造を有する。第１の複写に対して正確に見当合わせされた第２の複写は、好ましくは、同心円状のリングからなるムーブメントパターンを示す。
【０２６４】
図３５及び図３６は、表側３ｂから見たセキュリティエレメント１の上面図及び断面図をそれぞれ示している。図３５に示すセキュリティエレメント１の中央には、三次元の星３５１３，３５１７の形をなすフレネル自由曲面が設けられている。この星は、好ましくは、青色に見えるとともに、ラスタライゼーションにより、部分的に透明に見える。背景には、特に動的なムーブメント効果を示す黄色及びオレンジ色のカラー層３５２３が金属層３５２７の前面に設けられている。セキュリティエレメント１が傾いているとき、自由形状面は、好ましくは、青色で三次元に表れ、すなわち、好ましくは実質的に三次元で飛び出し、背景において、特に自由形状面を介して、好ましくは自由形状面のラスタライゼーションにより減衰して、ムーブメント効果は、好ましくは異なる色で表れる。金属層とともに黄色及びオレンジ色は、特に、金色の色相として検出され得る。観察者にとって、２つの効果及び２つの色の印象は、検出可能であるか、交互に目を引くことが好ましい。
【０２６５】
ラスタライゼーションを一次元又は二次元としてもよい。特に、局所的な表面被覆率は、点状及び／又は線形のラスタエレメントの振幅又は周波数変調の結果としてもたらされる。特に、ラスタライゼーションの最小寸法、例えば、一次元のラスタライゼーションの場合の部分表面領域の直径又はラスタラインの幅は、１μｍ〜３００μｍ、好ましくは５μｍ〜２００μｍの範囲にある。
【０２６６】
図３６に示したセキュリティエレメント１の層構造は、キャリアプライ１０とは反対側となる第２の複製層３６２６の側及びキャリアプライ１０とは反対側となる第２の金属層３６２７の側にさらなる機能層３６０ａが設けられている点を除き、図１のセキュリティエレメントの層構造に実質的に対応している。好ましくは、この機能層３６０ａは、接着層又は一連の接着層、バリア層及び／又は接着促進層として形成される。
【０２６７】
図３７，３８は、セキュリティエレメント１を示している。図３７，３８に示したこのセキュリティエレメント１は、第１のカラー層３７１３及び第２のカラー層３７２３の部分的な重なり部分を有する点を除き図３５，３６に示したこのセキュリティエレメント１に対応している。自由形状面が第２のカラー層３７２３によって裏打ちされていない領域では、特に部分的に透明に見える。基板への適用後、基板は、特に、カラー効果なしに検出され得る。セキュリティエレメントが基板に転写され、セキュリティエレメントを表側３ｂから見たときに、基板は、好ましくは、第２のカラー層により裏打ちされていない自由形状面の部分的に透明な領域においてカラー効果なしに検出可能である。
【０２６８】
図３９，４０は、セキュリティエレメント１を示している。図３９，４０に示したセキュリティエレメント１は、中央領域において完全に不透明となるように第１の金属層３９１７を有する点を除き、図３７，３８に示したセキュリティエレメント１に対応している。メタリックの表面被覆率は、特に縁部領域で徐々に減少する。
【０２６９】
図４１は、大きさ及び／又はアライメント及び／又は表面被覆率が変化する星型モチーフを有するセキュリティエレメント１を示している。図４１の左側に位置する星型モチーフ４１１３，４１１７は、特に、ミリメートルの範囲の直径を有し、好ましくは補助器具を用いずに人間の目により解像され得る。右側における星型モチーフは、特に、数マイクロメートルの範囲の直径を有し、特に、人間の裸眼では解像されない。星型モチーフにおける第１のカラー層４１１３に対して正確に見当合わせされて存在し、第１の金属層４１１７に成形された微細構造により生じる光学的に可変の効果は、特に、セキュリティエレメント１を傾けたときに、例えば金色であり左から右へと明度が進行する。背景には、セキュリティエレメント１を傾けたときに、上方から下方に移動する赤色の明度進行を示すさらなる微細構造４１２７が存在する。好ましくは、より大きな星型モチーフでは、金色の効果が個々の星型モチーフに局在していることが明確に検出可能である。一方、右側では、より小さな星型モチーフは、好ましくは連続的なラスタのように作用する。
【０２７０】
また、１つのセキュリティエレメントにおいて２つの自由形状面を組み合わせてよい。第１のカラー層及びラスタ化された第１の金属層を有する第１の星型モチーフは、特に、観察者に向けて方向づけられ、飛び出し、特に実質的に凸状に飛び出す実質的に三次元の曲率を有するレリーフを形成する。さらに、第２の色を有する背景に第２の星型モチーフを形成してもよく、当該モチーフは、観察者から離れるように点を指し、跳ね返り、特に実質的に凹状に跳ね返る見かけ上の曲率を有する。セキュリティエレメントを傾けたとき、観察者は、三次元の星の光学的印象を検出する。この光学的印象について、観察者は、好ましくは、第１の色で上側の反射を検出し、同時に、好ましくは、星の後方「内」側を上側から検出することができるという印象を受ける。この反射は、特に第１の色と異なる色で光る。
【符号の説明】
【０２７１】
１  セキュリティエレメント
２  セキュリティ機能部
２ａ  第１のセキュリティ機能部
２ｂ  第２のセキュリティ機能部
３ａ  裏側
３ｂ  表側
４  デザインエレメント
５  外縁
６  断面線
１０  キャリアプライ
２０，３０，５０，９０，１３０，１７０，２１０，３００，３６０ａ  機能層
２１  第１の層
２１０  不透明層
２１０ａ  第１の不透明層
２１０ｂ  第１の不透明金属層
２１１，１８１１  第１の光学的可変構造
２１１ａ  光学可変反射層
２１１ｂ  ワニス層
２１１ｃ  第１のマット構造
２１２  反射層
２１２ａ  不透明、半透明又は透明の反射層
２１３，３１３，４１３，６１３，７１３，８１３，９１３，１０１３，１３１３，１７１３，１８１３，２１１３，２３１３，２４１３，２５１３，２８１３，３０１３，３７１３，４１１３  第１のカラー層
２１３ａ  任意選択的な第１のカラー層
２１４  透明又は半透明の複製層
２１４ａ  光学的にアクティブなレリーフ構造
２１４ｂ  不透明な金属反射層
２１５  第１の開口部
２１５ａ  第１のラスタライゼーション
２１６  第１の複製層
２１７，３１７，４１７，４１７ａ，５１７，６１７，７１７，８１７，９１７，１０１７，１３１７，１７１７，１８１７，２１１７，２３１７，２５１７，３０１７，３９１７，４１１７  第１の金属層及び／又はメタライゼーション
２１８  フォトレジスト
２２  第２の層
２２０  不透明層
２２０ａ  第２の不透明層
２２０ｂ  第２の不透明金属層
２２１，１７２１，１８２１  第２の光学的可変構造
２２１ｃ  第２のマット構造
２２３，３２３，８２３，９２３，１０２３，２１２３，２２２３，２３２３，２４２３，２５２３，２８２３，３０２３，３５２３，３７２３  第２のカラー層
２２４  透明又は半透明の複製層
２２４ａ  光学的にアクティブなレリーフ構造
２２４ｂ  反射層
２２５  第２の開口部
２２５ａ  第２のラスタライゼーション
２２６，３２６，４２６，１０２６，１３２６，１７２６，１８２６，２１２６，３０２６，３６２６  第２の複製層
２２７，３２７，４２７，８２７，１０２７，１３２７，１７２７，２１２７，２２２７，２３２７，２５２７，３０２７，３５２７，３６２７，４１２７  第２の金属層
２３  複製層
２３３，９３３，１０３３  第３のカラー層
２４３，１０４３  第４のカラー層
４１７ｆ  非金属化及び／又は非金属領域
４１８ｆ  金属化及び／又は金属領域
１３１８  ネガ型フォトレジスト
３４１１ｃ，３４２１ｃ  ラスタエレメント
３１１３  背景
３１２３  レタリング
４１２７  微細構造
３５１３，３５１７  三次元の星
４１１３，４１１７  星型モチーフ
３０  領域
３１  第１の領域
３２  第２の領域
ａ  ステップ
ｂ  ステップ
【図１】
2021514485.tif 000004
【図２】
2021514485.tif 000005
【図３】
2021514485.tif 000006
【図４ａ】
2021514485.tif 000007
【図４ｂ】
2021514485.tif 000008
【図４ｃ】
2021514485.tif 000009
【図４ｄ】
2021514485.tif 000010
【図４ｅ】
2021514485.tif 000011
【図４ｆ】
2021514485.tif 000012
【図４ｇ】
2021514485.tif 000013
【図５】
2021514485.tif 000014
【図６】
2021514485.tif 000015
【図７】
2021514485.tif 000016
【図８】
2021514485.tif 000017
【図９】
2021514485.tif 000018
【図１０】
2021514485.tif 000019
【図１１】
2021514485.tif 000020
【図１２】
2021514485.tif 000021
【図１３】
2021514485.tif 000022
【図１４】
2021514485.tif 000023
【図１５】
2021514485.tif 000024
【図１６】
2021514485.tif 000025
【図１７】
2021514485.tif 000026
【図１８】
2021514485.tif 000027
【図１９】
2021514485.tif 000028
【図２０】
2021514485.tif 000029
【図２１】
2021514485.tif 000030
【図２２】
2021514485.tif 000031
【図２３】
2021514485.tif 000032
【図２４】
2021514485.tif 000033
【図２５】
2021514485.tif 000034
【図２６】
2021514485.tif 000035
【図２７】
2021514485.tif 000036
【図２８】
2021514485.tif 000037
【図２９】
2021514485.tif 000038
【図３０】
2021514485.tif 000039
【図３１】
2021514485.tif 000040
【図３２】
2021514485.tif 000041
【図３３】
2021514485.tif 000042
【図３４】
2021514485.tif 000043
【図３５】
2021514485.tif 000044
【図３６】
2021514485.tif 000045
【図３７】
2021514485.tif 000046
【図３８】
2021514485.tif 000047
【図３９】
2021514485.tif 000048
【図４０】
2021514485.tif 000049
【図４１】
2021514485.tif 000050
【国際調査報告】
2021514485.tif 000051
2021514485.tif 000052
2021514485.tif 000053
2021514485.tif 000054
2021514485.tif 000055
2021514485.tif 000056
2021514485.tif 000057
2021514485.tif 000058
2021514485.tif 000059
2021514485.tif 000060
2021514485.tif 000061
2021514485.tif 000062
2021514485.tif 000063
2021514485.tif 000064
2021514485.tif 000065
2021514485.tif 000066
2021514485.tif 000067
2021514485.tif 000068
2021514485.tif 000069
2021514485.tif 000070
2021514485.tif 000071
2021514485.tif 000072
2021514485.tif 000073
2021514485.tif 000074
2021514485.tif 000075
2021514485.tif 000076
2021514485.tif 000077
2021514485.tif 000078
2021514485.tif 000079
2021514485.tif 000080
2021514485.tif 000081
2021514485.tif 000082